(57)【要約】【課題】Σ＋粒子の中に80MeVのsクオークが6.249×108個1束に成って回転している。どのように成っているか。高エネルギー加速器の中の場合と地表の場合を考える。電磁気は粒子でもあり、電磁気でもある。クオークの場合はどのように理解するのか。【解決手段】高エネルギー加速器のΣ＋粒子の公転軌道(1.516×10−22m)の中で、80MeVのsクオークの電磁気1個のエネルギーは2.052×10−20Jで、電磁気の軌道は3.277×10−25m です。この電磁気が6.249×108個1束に成り回転している。この全体のエネルギーは1.282×10−11J(80MeV)です。クオークの電磁気1個は1つの粒子です。粒子のエネルギーは2.052×10−20Jで、粒子の軌道は3.277×10−25m です。クオークの電磁気1個は2.052×10−20J で、3.277×10−25mの軌道を回転する。このように、電磁気1個は1個の粒子であり、電磁気です。【選択図】図１
2017158221.tif 000002
【特許請求の範囲】
【請求項１】
uクオークについて。高エネルギー加速器の中で1.7MeVのuクオークはどのようであるか。地表では1.7MeVのuクオークはどのようになるか。高エネルギー加速器の中で3.1MeVのuクオークはどのようであるか。地表では3.1MeVのuクオークはどのようになるか。
uクオークの質量は1.7〜3.1MeVです。
・1.7MeVのuクオークについて。
○高エネルギー加速器の中で1.7MeVのuクオークはどのようであるか。地表では1.7MeVのuクオークはどのようになるか。
陽子の中の1.7MeVのuクオークの電磁気数は6.249×108個です。
1.7MeV＝1.7×106×1.602×10−19J＝2.723×10−13J
高エネルギー加速器の中で、電磁気1個のエネルギー＝2.723×10−13J÷(6.249×108個)＝4.357×10−22J、です。
陽子の中で、この電磁気の軌道は、6.724×10−45Jm÷(4.357×10−22J)＝1.543×10−23m、です。
即ち、高エネルギー加速器の中で、1.7MeVのuクオークの電磁気1個のエネルギーは4.357×10−22Jで、電磁気の軌道は1.543×10−23mです。この電磁気が6.249×108個1束に成り回転している。この全体のエネルギーは2.723×10−13Jです。
○高エネルギー加速器の中で陽子のラブはどのようであるか。
高エネルギー加速器の中で陽子のラブのエネルギーは地表の3×108倍ですから、陽子のラブのエネルギー＝地表の陽子のラブのエネルギー×3×108＝1.503×10−10J×3×108＝4.509×10−2J、です。
陽子のラブの公転軌道＝8.665×10−24Jm÷(4.509×10−2J)＝1.922×10−22m
高エネルギー加速器の中で、陽子のラブのエネルギーは4.509×10−2Jで、陽子のラブの公転軌道は1.922×10−22mです。
この中に、クオークである電磁気の束が存在する。
・3.1 MeVのuクオークについて。
○高エネルギー加速器の中で3.1MeVのuクオークはどのようであるか。
陽子の中の3.1MeVのuクオークの電磁気数は6.249×108個です。
3.1MeV＝3.1×106×1.602×10−19J＝4.966×10−13J
高エネルギー加速器の中で、電磁気1個のエネルギー＝4.966×10−13J÷(6.249×108個)＝7.947×10−22J、です。
陽子の中で、この電磁気の軌道は、6.724×10−45Jm÷(7.947×10−22J)＝8.461×10−24m、です。
即ち、高エネルギー加速器の中で、3.1MeVのuクオークの電磁気1個のエネルギーは7.947×10−22Jで、電磁気の軌道は8.461×10−24mです。この電磁気が6.249×108個1束に成り回転し、この全体のエネルギーは4.966×10−13Jです。
○地表では1.7MeVのuクオークはどのようになるか。
地表では、エネルギーは3×108分の1になり、軌道は3×108倍に成ります。
1.7MeVのクオークのエネルギーは、1.7MeV÷(3×108)＝2.723×10−13J÷(3×108)＝9.077×10−22J、です。
地表で、電磁気1個のエネルギー＝9.077×10−22J÷(6.249×108個)＝1.453×10−30J、です。
地表の陽子の中で、この電磁気の軌道は、6.724×10−45Jm÷(1.453×10−30J)＝4.628×10−15m、です。
即ち、地表で、1.7MeVのuクオークの電磁気1個のエネルギーは1.453×10−30Jで、電磁気の軌道は4.628×10−15mです。この電磁気が6.249×108個1束に成り回転している。この全体のエネルギーは9.077×10−22Jです。
○地表で陽子のラブはどのようであるか。
地表の陽子のラブのエネルギーは、1.503×10−10Jで、公転軌道は、8.665×10−24Jm÷(1.503×10−10J)＝5.765×10−14m、です。
この陽子のラブの公転軌道の中に、地表のクオークであった物が存在する。
○地表では3.1MeVのuクオークはどのようになるか。
地表では、エネルギーは3×108分の1になり、軌道は3×108倍に成ります。
3.1MeVのクオークのエネルギーは、3.1MeV÷(3×108)＝4.966×10−13J÷(3×108)＝1.655×10−21J、です。
地表で、電磁気1個のエネルギー＝9.077×10−22J÷(6.249×108個)＝1.453×10−30J、です。
陽子の中で、この電磁気の軌道は、6.724×10−45Jm÷(1.453×10−30J)＝4.628×10−15m、です。
即ち、地表で、3.1MeVのuクオークの電磁気1個のエネルギーは1.453×10−30Jで、電磁気の軌道は 4.628×10−15mです。この電磁気が6.249×108個1束に成り回転し、この全体のエネルギーは1.655×10−21Jです。
まとめて表に示す。
高エネルギー加速器の中で1.7MeVのuクオークはどのようであるか。地表では1.7MeVのuクオークはどのようになるか。
表１８
2017158221.tif 000020
まとめて表に示す。
高エネルギー加速器の中で3.1MeVのuクオークはどのようであるか。地表では3.1MeVのuクオークはどのようになるか。
表１９
2017158221.tif 000021
【請求項２】
dクオークについて。高エネルギー加速器の中で4.1MeVのdクオークはどのようであるか。地表では4.1MeVのdクオークはどのようになるか。高エネルギー加速器の中で5.7MeVのdクオークはどのようであるか。地表では5.7MeVのdクオークはどのようになるか。
dクオークの質量は4.1〜5.7MeVです。
・4.1MeVのクオークについて。
○高エネルギー加速器の中で4.1MeVのdクオークはどのようであるか。
陽子の中の4.1MeVのdクオークの電磁気数は6.249×108個です。
4.1MeV＝4.1×106×1.602×10−19J＝6.568×10−13J
高エネルギー加速器の中で、電磁気1個のエネルギー＝6.568×10−13J ÷(6.249×108個)＝1.051×10−21J、です。
陽子の中で、この電磁気の軌道は、6.724×10−45Jm÷(1.051×10−21J)＝6.398×10−24m、です。
即ち、高エネルギー加速器の中で、陽子の中の4.1MeVのdクオークの電磁気1個のエネルギーは1.051×10−21J で、電磁気の軌道は2.224×10−26mです。この電磁気が6.249×108個1束に成り回転し、この全体のエネルギーは6.568×10−13Jです。
・5.7MeVのクオークについて。
○高エネルギー加速器の中で5.7MeVのdクオークはどのようであるか。
陽子の中の5.7MeVのdクオークの電磁気数は6.249×108個です。
5.7MeV＝5.7×106×1.602×10−19J＝9.131×10−13J
高エネルギー加速器の中で、電磁気1個のエネルギー＝9.131×10−13J ÷(6.249×108個)＝1.461×10−21J、です。
陽子の中で、この電磁気の軌道は、6.724×10−45Jm÷(1.461×10−21J)＝4.602×10−24m、です。
即ち、高エネルギー加速器の中で、陽子の中の5.7MeVのdクオークの電磁気1個のエネルギーは1.461×10−21J で、電磁気の軌道は4.602×10−24m です。この電磁気が6.249×108個1束に成り回転し、この全体のエネルギーは9.131×10−13Jです。
○高エネルギー加速器の中で陽子のラブはどのようであるか。
高エネルギー加速器の中で陽子のラブのエネルギーは地表の3×108倍ですから、陽子のラブのエネルギー＝地表の陽子のラブのエネルギー×3×108＝1.503×10−10J×3×108＝4.509×10−2J、です。
陽子のラブの公転軌道＝8.665×10−24Jm÷(4.509×10−2J)＝1.922×10−22m
高エネルギー加速器の中で、陽子のラブのエネルギーは4.509×10−2Jで、陽子のラブの公転軌道は1.922×10−22mです。
この中に、クオークである電磁気の束が存在する。
○地表では4.1MeVのdクオークはどのようになるか。
地表では、エネルギーは3×108分の1になり、軌道は3×108倍に成ります。
4.1MeVのクオークのエネルギーは、4.1MeV÷(3×108)＝4.1×106×1.602×10−19J÷(3×108)＝6.568×10−13J÷(3×108)＝2.189×10−21J、です。
地表で、電磁気1個のエネルギー＝2.189×10−21J÷(6.249×108個)＝3.503×10−30J、です。
陽子の中で、この電磁気の軌道は、6.724×10−45Jm÷(3.503×10−30J)＝1.919×10−15m、です。
即ち、地表で、4.1MeVのdクオークの電磁気1個のエネルギーは3.503×10−30J で、電磁気の軌道は1.919×10−15m です。この電磁気が6.249×108個1束に成り回転し、この全体のエネルギーは2.189×10−21Jです。
○地表では5.7MeVのdクオークはどのようになるか。
地表では、エネルギーは3×108分の1になり、軌道は3×108倍に成ります。
5.7MeVのクオークのエネルギーは、5.7MeV÷(3×108)＝5.7×106×1.602×10−19J÷(3×108)＝9.131×10−13J÷(3×108)＝3.044×10−21J、です。
地表で、電磁気1個のエネルギー＝3.044×10−21J÷(6.249×108個)＝4.871×10−30J、です。
陽子の中で、この電磁気の軌道は、6.724×10−45Jm÷(4.871×10−30J)＝1.380×10−15m、です。
即ち、地表で、5.7MeVのdクオークの電磁気1個のエネルギーは4.871×10−30J で、電磁気の軌道は1.380×10−15m です。この電磁気が6.249×108個1束に成り回転し、この全体のエネルギーは3.044×10−21Jです。
○地表で陽子のラブはどのようであるか。
地表の陽子のラブのエネルギーは、1.503×10−10Jで、公転軌道は、8.665×10−24Jm÷(1.503×10−10J)＝5.765×10−14m、です。
この陽子のラブの公転軌道の中に、地表のクオークであった物が存在する。
まとめて表に示す。
高エネルギー加速器の中で4.1MeVのdクオークはどのようであるか。地表では4.1MeVのdクオークはどのようになるか。
表２０
2017158221.tif 000022
まとめて表に示す。
高エネルギー加速器の中で5.7MeVのdクオークはどのようであるか。地表では5.7MeVのdクオークはどのようになるか。
表２１
2017158221.tif 000023
【請求項３】
sクオークについて。高エネルギー加速器の中で80MeVのsクオークはどのようであるか。地表に於いてで80MeVのsクオークはどのようであるか。高エネルギー加速器の中で130MeVのsクオークはどのようであるか。地表に於いてで130MeVのsクオークはどのようであるか。
sクオークの質量は80〜130MeVです。
・80MeVのsクオークについて。
○高エネルギー加速器の中で80MeVのsクオークはどのようであるか。
Σ＋粒子の中の80MeVのsクオークの電磁気数は6.249×108個です。
80MeV＝80×106×1.602×10−19J＝1.282×10−11J
高エネルギー加速器の中で、電磁気1個のエネルギー＝1.282×10−11J÷(6.249×108個)＝2.052×10−20J、です。
Σ＋粒子の中で、この電磁気の軌道は、6.724×10−45Jm÷(2.052×10−20J)＝3.277×10−25m、です。
即ち、高エネルギー加速器のΣ＋粒子の中で、80MeVのsクオークの電磁気1個のエネルギーは2.052×10−20Jで、電磁気の軌道は3.277×10−25m です。この電磁気が6.249×108個1束に成り回転し、この全体のエネルギーは1.282×10−11Jです。
130MeVのsクオークについて。
○高エネルギー加速器の中で130MeVのsクオークはどのようであるか。
Σ＋粒子の中の130MeVのsクオークの電磁気数は6.249×108個です。
130MeV＝130×106×1.602×10−19J＝2.083×10−11J
高エネルギー加速器の中で、電磁気1個のエネルギー＝2.083×10−11J÷(6.249×108個)＝3.333×10−20J、です。  
Σ＋粒子の中で、この電磁気の軌道は、6.724×10−45Jm÷(3.333×10−20J)＝2.017×10−25m、です。
即ち、高エネルギー加速器のΣ＋粒子の中で、130MeVのsクオークの電磁気1個のエネルギーは3.333×10−20Jで、電磁気の軌道は2.017×10−25m です。この電磁気が6.249×108個1束に成り回転し、この全体のエネルギーは2.083×10−11Jです。
○高エネルギー加速器の中でΣ＋粒子はどのようであるか。
高エネルギー加速器の中でΣ＋粒子のエネルギーは地表の3×108倍ですから、Σ＋粒子のエネルギー＝Σ＋粒子のエネルギー×3×108＝1189.37×106×1.602×10−19J×3×108＝1.905×10−10J×3×108＝5.715×10−2J、です。
Σ＋粒子の公転軌道＝8.665×10−24Jm÷(5.715×10−2J)＝1.516×10−22m
高エネルギー加速器の中で、Σ＋粒子のエネルギーは5.715×10−2Jで、陽子のラブの公転軌道は1.516×10−22mです。
この中に、クオークである電磁気の束が存在する。
○地表では80MeVのsクオークはどのようになるか。
地表では、エネルギーは3×108分の1になり、軌道は3×108倍に成ります。
80MeVのsクオークのエネルギーは、80MeV÷(3×108)＝1.282×10−11J ÷(3×108)＝4.273×10−20J、です。
地表で、電磁気1個のエネルギー＝4.273×10−20J÷(6.249×108個)＝7.569×10−29J、です。
Σ＋粒子の中で、この電磁気の軌道は、6.724×10−45Jm÷(7.569×10−29J)＝8.883×10−17m、です。
即ち、地表で、80MeVのsクオークの電磁気1個のエネルギーは7.569×10−29Jで、電磁気の軌道は  8.883×10−17mです。この電磁気が6.249×108個1束に成り回転し、この全体のエネルギーは4.273×10−20Jです。
○地表では130MeVのsクオークはどのようになるか。
地表では、エネルギーは3×108分の1になり、軌道は3×108倍に成ります。
130MeVのsクオークのエネルギーは、130MeV÷(3×108)＝2.083×10−11J÷(3×108)＝6.943×10−20J、です。
地表で、電磁気1個のエネルギー＝6.943×10−20J÷(6.249×108個)＝1.111×10−28J、です。
Σ＋粒子の中で、この電磁気の軌道は、6.724×10−45Jm÷(1.111×10−28J)＝6.052×10−17m、です。
即ち、地表で、130MeVのsクオークの電磁気1個のエネルギーは1.111×10−28Jで、電磁気の軌道は  6.052×10−17mです。この電磁気が6.249×108個1束に成り回転し、この全体のエネルギーは6.943×10−20Jです。
○地表のΣ＋粒子はどのようであるか。
Σ＋粒子のエネルギーは1189.37MeV＝1189.37×106×1.602×10−19J＝1.905×10−10J、です。
Σ＋粒子の公転軌道＝8.665×10−24Jm÷(1.905×10−10J)＝4.549×10−14m
この中に、地表のクオークである電磁気の束が存在する。
この事をまとめて表に示す。
高エネルギー加速器の中で80MeVのsクオークはどのようであるか。地表に於いてで80MeVのsクオークはどのようであるか。
表２２
2017158221.tif 000024
まとめて表に示す。
高エネルギー加速器の中で130MeVのsクオークはどのようであるか。地表に於いてで130MeVのsクオークはどのようであるか。
表２３
2017158221.tif 000025
【請求項４】
ｃクオークについて。高エネルギー加速器の中で1.18GeVのcクオークはどのようであるか。地表では1.18GeVのcクオークはどのようになるか。高エネルギー加速器の中で1.34GeVのcクオークはどのようであるか。地表では1.34GeVのcクオークはどのようになるか。
cクオークの質量は1.18〜1.34GeVです。
・1.18GeVのcクオークについて。
○高エネルギー加速器の中で1.18GeVのcクオークはどのようであるか。
Λ＋c粒子の中の1.18GeVのcクオークの電磁気数は6.249×108個です。
1.18GeV＝1.18×109×1.602×10−19J＝1.890×10−10J
高エネルギー加速器の中で、電磁気1個のエネルギー＝1.890×10−10J÷(6.249×108個)＝3.024×10−19J、です。
Λ＋c粒子の中で、この電磁気の軌道は、6.724×10−45Jm÷(3.024×10−19J)＝2.224×10−26m、です。
即ち、高エネルギー加速器の中で、1.18GeVのcクオークの電磁気1個のエネルギーは3.024×10−19Jで、電磁気の軌道は2.224×10−26mです。この電磁気が6.249×108個1束に成り回転し、この全体のエネルギーは1.890×10−10Jです。
○高エネルギー加速器の中で1.34GeVのcクオークはどのようであるか。
Λ＋c粒子の中の1.34GeVのcクオークの電磁気数は6.249×108個です。
1.34GeV＝1.34×109×1.602×10−19J＝2.147×10−10J
高エネルギー加速器の中で、電磁気1個のエネルギー＝2.147×10−10J÷(6.249×108個)＝3.436×10−19J、です。
Λ＋c粒子の中で、この電磁気の軌道は、6.724×10−45Jm÷(3.436×10−19J)＝1.957×10−26m、です。
即ち、高エネルギー加速器の中で、1.34GeVのcクオークの電磁気1個のエネルギーは3.436×10−19Jで、電磁気の軌道は1.957×10−26mです。この電磁気が6.249×108個1束に成り回転し、この全体のエネルギーは2.147×10−10Jです。
○高エネルギー加速器の中でΛ＋c粒子はどのようであるか。
高エネルギー加速器の中で、Λ＋c粒子のエネルギーは地表の3×108倍ですから、Λ＋c粒子のエネルギー＝地表のΛ＋c粒子のエネルギー×3×108＝2286.46×106×1.602×10−19J×3×108＝3.663×10−10J×3×108＝1.099×10−1J、です。
高エネルギー加速器の中のΛ＋c粒子の公転軌道＝8.665×10−24Jm÷(1.099×10−1J)＝7.884×10−23m
この中に、クオークである電磁気の束が存在する。
○地表では1.18GeVのcクオークはどのようになるか。
地表では、エネルギーは3×108分の1になり、軌道は3×108倍に成ります。
1.18GeVのクオークのエネルギーは、1.18GeV÷(3×108)＝1.890×10−10J÷(3×108)＝6.300×10−19J、です。
地表で、電磁気1個のエネルギー＝6.300×10−19J÷(6.249×108個)＝1.008×10−27J、です。
Λ＋c粒子の中で、この電磁気の軌道は、6.724×10−45Jm÷(1.008×10−27J)＝6.071×10−18m、です。
即ち、地表で、1.34GeVのcクオークの電磁気1個のエネルギーは1.008×10−27Jで、電磁気の軌道は 6.071×10−18m です。この電磁気が6.249×108個1束に成り回転し、この全体のエネルギーは6.300×10−19Jです。
○地表では1.34GeVのcクオークはどのようになるか。
地表では、エネルギーは3×108分の1になり、軌道は3×108倍に成ります。
1.34GeVのクオークのエネルギーは、1.34GeV÷(3×108)＝2.147×10−10J÷(3×108)＝7.157×10−19J、です。
地表で、電磁気1個のエネルギー＝7.157×10−19J÷(6.249×108個)＝1.145×10−27J、です。
Λ＋c粒子の中で、この電磁気の軌道は、6.724×10−45Jm÷(1.145×10−27J)＝5.872×10−18m、です。
即ち、地表で、1.34GeVのcクオークの電磁気1個のエネルギーは1.145×10−27Jで、電磁気の軌道は 5.872×10−18m です。この電磁気が6.249×108個1束に成り回転し、この全体のエネルギーは7.157×10−19Jです。
○地表のΛ＋c粒子はどのようであるか。
Λ＋c粒子のエネルギーは2286.46MeV＝2286.46×106×1.602×10−19J＝3.663×10−10J、です。
Λ＋c粒子の公転軌道＝8.665×10−24Jm÷(3.663×10−10J)＝2.366×10−14m
この中に、地表のクオークである電磁気の束が存在する。
この事を表に示す。
高エネルギー加速器の中で1.18GeVのcクオークはどのようであるか。地表では1.18GeVのcクオークはどのようになるか。
表２４
2017158221.tif 000026
この事を表に示す。
高エネルギー加速器の中で1.34GeVのcクオークはどのようであるか。地表では1.34GeVのcクオークはどのようになるか。
表２５
2017158221.tif 000027
【請求項５】
bクオークについて。高エネルギー加速器の中で4.13GeVのbクオークはどのようであるか。地表では4.13GeVのbクオークはどのようになるか。高エネルギー加速器の中で4.37GeVのbクオークはどのようであるか。地表では4.37GeVのbクオークはどのようになるか。
bクオークの質量は4.13〜4.37GeVです。
・4.13GeVのbクオークについて。
○高エネルギー加速器の中で4.13GeVのbクオークはどのようであるか。
B+粒子の中の4.13GeVのbクオークの電磁気数は6.249×108個です。
4.13GeV＝4.13×109×1.602×10−19J＝6.616×10−10J
高エネルギー加速器の中で、電磁気1個のエネルギー＝6.616×10−10J÷(6.249×108個)＝1.059×10−18J、です。
B+粒子の中で、この電磁気の軌道は、6.724×10−45Jm÷(1.059×10−18J)＝6.349×10−27m、です。
即ち、高エネルギー加速器のB+粒子の中で、4.13GeVのbクオークの電磁気1個のエネルギーは1.059×10−18Jで、電磁気の軌道は6.349×10−27m です。この電磁気が6.249×108個1束に成り回転し、この全体のエネルギーは6.616×10−10Jです。
・4.37GeVのbクオークについて。
○高エネルギー加速器の中で4.37GeVのbクオークはどのようであるか。
B+粒子の中の4.37GeVのbクオークの電磁気数は6.249×108個です。
4.37GeV＝4.37×109×1.602×10−19J＝7.001×10−10J
高エネルギー加速器の中で、電磁気1個のエネルギー＝7.001×10−10J÷(6.249×108個)＝1.120×10−18J、です。
B+粒子の中で、この電磁気の軌道は、6.724×10−45Jm÷(1.120×10−18J)＝6.004×10−27m、です。
即ち、高エネルギー加速器の電子の中で、4.37GeVのbクオークの電磁気1個のエネルギーは1.120×10−18J で、電磁気の軌道は6.004×10−27mです。この電磁気が6.249×108個1束に成り回転し、この全体のエネルギーは7.001×10−10Jです。
○高エネルギー加速器の中でB＋粒子はどのようであるか。
高エネルギー加速器の中で、B＋粒子のエネルギーは地表の3×108倍ですから、B＋粒子のエネルギー＝地表のB＋粒子のエネルギー×3×108＝5279.2×106×1.602×10−19J×3×108＝8.457×10−10J×3×108＝2.537×10−1J、です。
高エネルギー加速器の中のB＋粒子の公転軌道＝8.665×10−24Jm÷(2.537×10−1J)＝3.415×10−23m
この中に、クオークである電磁気の束が存在する。
○地表では4.13GeVのbクオークはどのようになるか。
地表では、エネルギーは3×108分の1になり、軌道は3×108倍に成ります。
4.13GeVのbクオークのエネルギーは、4.13GeV÷(3×108)＝6.616×10−10J÷(3×108)＝2.205×10−18J、です。
地表で、電磁気1個のエネルギー＝2.205×10−18J÷(6.249×108個)＝3.529×10−27J、です。
B+粒子の中で、この電磁気の軌道は、6.724×10−45Jm÷(3.529×10−27J)＝1.905×10−18m、です。
即ち、地表で、4.13GeVのbクオークの電磁気1個のエネルギーは3.529×10−27Jで、電磁気の軌道は 1.905×10−18m です。この電磁気が6.249×108個1束に成り回転し、この全体のエネルギーは2.205×10−18Jです。
○地表では4.37GeVのbクオークはどのようになるか。
地表では、エネルギーは3×108分の1になり、軌道は3×108倍に成ります。
4.37GeVのbクオークのエネルギーは、4.37GeV÷(3×108)＝7.001×10−10J÷(3×108)＝2.334×10−18J、です。
地表で、電磁気1個のエネルギー＝2.334×10−18J÷(6.249×108個)＝3.735×10−27J、です。
電子の中で、この電磁気の軌道は、6.724×10−45Jm÷(3.735×10−27J)＝1.800×10−18m、です。
即ち、地表で、4.37GeVのbクオークの電磁気1個のエネルギーは3.735×10−27Jで、電磁気の軌道は 1.800×10−18mです。この電磁気が6.249×108個1束に成り回転し、この全体のエネルギーは2.334×10−18Jです。
○地表のB+粒子はどのようであるか。
B+粒子のエネルギーは5279.2MeV＝5279.2×106×1.602×10−19J＝8.457×10−10J、です。
B+粒子の公転軌道＝8.665×10−24Jm÷(8.457×10−10J)＝1.025×10−14m
この中に、地表のクオークである電磁気の束が存在する。
まとめて表に示す。
高エネルギー加速器の中で4.13GeVのbクオークはどのようであるか。地表では4.13GeVのbクオークはどのようになるか。
表２６
2017158221.tif 000028
まとめて表に示す。
高エネルギー加速器の中で4.37GeVのbクオークはどのようであるか。地表では4.37GeVのbクオークはどのようになるか。
表２７
2017158221.tif 000029
【請求項６】
ｔクオークについて。高エネルギー加速器の中で172.9GeVのtクオークはどのようであるか。地表では172.9GeVのtクオークはどのようになるか。
ｔクオークの質量は172.9GeVです。
・172.9GeVのｔクオークについて。
○高エネルギー加速器の中で172.9GeVのtクオークはどのようであるか。
粒子の中の172.9GeVのtクオークの電磁気数は6.249×108個です。
172.9GeV＝172.9×109×1.602×10−19J＝2.770×10−8J
高エネルギー加速器の中で、電磁気1個のエネルギー＝2.770×10−8J÷(6.249×108個)＝4.433×10−17J、です。
粒子の中で、この電磁気の軌道は、6.724×10−45Jm÷(4.433×10−17J)＝1.517×10−28m、です。
即ち、高エネルギー加速器の中で、172.9GeVのtクオークの電磁気1個のエネルギーは4.433×10−17Jで、電磁気の軌道は1.517×10−28mです。この電磁気が6.249×108個1束に成り回転し、この全体のエネルギーは2.770×10−8Jです。
○地表では172.9GeVのtクオークはどのようになるか。
地表では、エネルギーは3×108分の1になり、軌道は3×108倍に成ります。
172.9GeVのクオークのエネルギーは、172.9GeV÷(3×108)＝2.770×10−8J÷(3×108)＝9.233×10−17J、です。
地表で、電磁気1個のエネルギー＝9.233×10−17J÷(6.249×108個)＝1.478×10−25J、です。
粒子の中で、この電磁気の軌道は、6.724×10−45Jm÷(1.478×10−25J)＝4.549×10−20m、です。
即ち、地表で、172.9GeVのtクオークの電磁気1個のエネルギーは1.478×10−25Jで、電磁気の軌道は4.549×10−20mです。この電磁気が6.249×108個1束に成り回転し、この全体のエネルギーは9.233×10−17Jです。
この事を表に示す。
高エネルギー加速器の中で172.9GeVのtクオークはどのようであるか。地表では172.9GeVのtクオークはどのようになるか。
表２８
2017158221.tif 000030
【請求項７】
uクオークの粒子としての性質と電磁気としての性質について。1.7MeVのuクオークは粒子でもあり電磁気でもある。3.1MeVのuクオークは粒子でもあり電磁気でもある。
この場は、高エネルギー加速器の場で、地表の3×108倍のエネルギーの場です。 
1.7MeVのuクオークの粒子としての性質と電磁気としての性質について。
○電磁気を粒子として計算する。
1.7MeVのuクオークのエネルギーは、1.7MeV＝1.7×106×1.602×10−19J＝2.723×10−13J、です。 
粒子の軌道＝8.665×10-24Jm÷(2.723×10−13J )＝3.182×10-11m 
粒子の質量＝9.628×10-41Jm÷軌道＝9.628×10-41Jm÷(3.182×10-11m)＝3.026×10-30Kg 
粒子の質量＝1.111×10-17×粒子のエネルギー＝1.111×10-17×2.723×10−13J ＝3.025×10-30Kg
1.7MeVのuクオークの1個の粒子のエネルギー＝2.723×10−13J ÷(6.249×108個)＝4.357×10−22J 
1.7MeVのuクオークの1個の粒子の軌道は＝1.233×10−41Jm÷(4.357×10−22J)＝2.830×10−20m
１個の粒子の質量＝粒子の質量÷粒子の個数＝3.026×10-30Kg÷(6.249×108個)＝4.842×10-39Kg
粒子の質量と粒子のエネルギーの関係
1個の粒子のエネルギー÷1個の粒子の質量＝4.357×10−22J÷(4.842×10-39Kg)＝8.998×1016
○電磁気は粒子でもある。それで、1.7MeVのuクオークの粒子としての性質は、粒子1個のエネルギーは4.357×10−22Jで、粒子は2.830×10−20m の軌道を回転します。粒子1個の質量は4.842×10-39Kgです。6.250×108個の粒子は1束に成り2.830×10−20mの軌道を回転していて、全体のエネルギーは2.723×10−13Jで、質量は3.025×10-30Kgです。
○電磁気として計算する。
1.7MeVのuクオークのエネルギーは、1.7MeV＝1.7×106×1.602×10−19J＝2.723×10−13J、です。
電磁気の軌道＝1.233×10−41Jm÷(2.723×10−13J)＝4.528×10-29m
電磁気の質量＝1.370×10-58Jm÷軌道＝1.370×10-58Jm÷(4.528×10-29m )＝3.026×10-30Kg
電磁気の質量＝1.111×10-17×電磁気のエネルギー＝1.111×10-17×2.723×10−13J ＝3.025×10-30Kg
1.7MeVのuクオークの電磁気1個のエネルギー＝2.723×10−13J ÷(6.249×108個)＝4.357×10−22J
1.7MeVのuクオークの電磁気1個の軌道は＝1.233×10−41Jm÷(4.357×10−22J)＝2.830×10−20m
電磁気1個の質量＝電磁気の質量÷電磁気の個数＝3.026×10-30Kg÷(6.249×108個)＝4.842×10−39Kg
電磁気の質量と電磁気のエネルギーの関係
電磁気1個のエネルギー÷電磁気1個の質量＝4.357×10−22J÷(4.842×10-39Kg)＝8.998×1016
○1.7MeVのuクオークの電磁気としての性質は、電磁気1個のエネルギーは4.357×10−22Jで、2.830×10−20mの軌道を回転します。電磁気1個の質量は4.842×10−39Kgです。6.249×108個の電磁気は1束に成り2.830×10−20mの軌道を回転します。全体のエネルギーは2.723×10−13Jで、質量は3.026×10-30Kgです。
3.1MeVのuクオークの粒子としての性質と電磁気としての性質について。
○電磁気を粒子として計算する。
3.1MeVのuクオークのエネルギーは、3.1MeV＝3.1×106×1.602×10−19J＝4.966×10−13J、です。 
粒子の軌道＝8.665×10-24Jm÷(4.966×10−13J )＝1.745×10-11m 
粒子の質量＝9.628×10-41Jm÷軌道＝9.628×10-41Jm÷(1.745×10-11m)＝5.517×10-30Kg 
粒子の質量＝1.111×10-17×粒子のエネルギー＝1.111×10-17×4.966×10−13J ＝5.517×10-30Kg
3.1MeVのuクオークの1個の粒子のエネルギー＝4.966×10−13J ÷(6.249×108個)＝7.947×10−22J 
3.1MeVのuクオークの1個の粒子の軌道＝1.233×10−41Jm÷(7.947×10−22J)＝1.552×10−20m
１個の粒子の質量＝粒子の質量÷粒子の個数＝5.517×10-30Kg÷(6.249×108個)＝8.829×10-39Kg
粒子の質量と粒子のエネルギーの関係
1個の粒子のエネルギー÷1個の粒子の質量＝7.947×10−22J÷(8.829×10-39Kg)＝9.001×1016
○電磁気は粒子でもある。それで、3.1MeVのuクオークの粒子としての性質は、粒子1個のエネルギーは7.947×10−22Jで、粒子は1.552×10−20mの軌道を回転します。粒子1個の質量は8.829×10-39Kgです。6.250×108個の粒子は1束に成り1.552×10−20mの軌道を回転していて、全体のエネルギーは4.966×10−13Jで、質量は5.517×10-30Kgです。
○電磁気として計算する。
3.1MeVのuクオークの場合。
3.1MeVのuクオークのエネルギーは、3.1MeV＝3.1×106×1.602×10−19J＝4.966×10−13J、です。
この電磁気の軌道は、1.233×10−41Jm÷(4.966×10−13J)＝2.483×10-29m、です。
電磁気の質量＝1.370×10-58Jm÷軌道＝1.370×10-58Jm÷(2.483×10-29m )＝5.518×10-30Kg
電磁気の質量＝1.111×10-17×電磁気のエネルギー＝1.111×10-17×4.966×10−13J ＝5.517×10-30Kg
3.1MeVのuクオークの電磁気1個のエネルギー＝4.966×10−13J ÷(6.249×108個)＝7.947×10−22J
3.1MeVのuクオークの電磁気1個の軌道＝1.233×10−41Jm÷(7.947×10−22J)＝1.551×10−20m
電磁気1個の質量＝電磁気の質量÷電磁気の個数＝5.518×10-30Kg÷(6.249×108個)＝8.830×10-39Kg
・電磁気の質量と電磁気のエネルギーの関係
電磁気1個のエネルギー÷電磁気1個の質量＝7.947×10−22J÷(8.830×10-39Kg)＝9.000×1016
○3.1MeVのuクオークの電磁気としての性質は、電磁気1個のエネルギーは7.947×10−22Jで、1.551×10−20mの軌道を回転します。電磁気1個の質量は8.830×10-39Kgです。6.249×108個の電磁気は1束に成り1.551×10−20mの軌道を回転します。全体のエネルギーは4.966×10−13Jで、質量は5.518×10-30Kgです。
まとめて表に示す。
1.7MeVのuクオークは粒子でもあり電磁気でもある。3.1MeVのuクオークは粒子でもあり電磁気でもある
表２９
2017158221.tif 000031
【請求項８】
dクオークの粒子としての性質と電磁気としての性質について。4.1MeVのdクオークは粒子でもあり電磁気でもある。5.7MeVのdクオークは粒子でもあり電磁気でもある。
4.1MeVのdクオークの粒子としての性質と電磁気としての性質について。
○電磁気を粒子として計算する。
4.1MeVのdクオークのエネルギーは、4.1MeV＝4.1×106×1.602×10−19J＝6.568×10−13J、です。 
粒子の軌道＝8.665×10-24Jm÷(6.568×10−13J )＝1.319×10-11m 
粒子の質量＝9.628×10-41Jm÷軌道＝9.628×10-41Jm÷(1.319×10-11m)＝7.299×10-30Kg 
粒子の質量＝1.111×10-17×粒子のエネルギー＝1.111×10-17×6.568×10−13J ＝7.297×10-30Kg
4.1MeVのdクオークの1個の粒子のエネルギー＝6.568×10−13J ÷(6.249×108個)＝1.051×10−21J 
4.1MeVのdクオークの1個の粒子の軌道＝1.233×10−41Jm÷(1.051×10−21J)＝1.173×10−20m
１個の粒子の質量＝粒子の質量÷粒子の個数＝7.299×10-30Kg÷(6.249×108個)＝1.168×10-38Kg
粒子の質量と粒子のエネルギーの関係
1個の粒子のエネルギー÷1個の粒子の質量＝1.051×10−21J÷(1.168×10-38Kg)＝8.998×1016
○電磁気は粒子でもある。それで、4.1MeVのdクオークの粒子としての性質は、粒子1個のエネルギーは1.051×10−21J で、粒子は1.173×10−20mの軌道を回転します。粒子1個の質量は1.168×10-38Kgです。6.250×108個の粒子は1束に成り1.173×10−20mの軌道を回転していて、全体のエネルギーは6.568×10−13Jで、質量は7.299×10-30Kgです。
○電磁気として計算する。
4.1MeVのdクオークのエネルギーは、4.1MeV＝4.1×106×1.602×10−19J＝6.568×10−13J、です。
この電磁気の軌道は、1.233×10−41Jm÷(6.568×10−13J)＝1.877×10-29m、です。
電磁気の質量＝1.370×10-58Jm÷軌道＝1.370×10-58Jm÷(1.877×10-29m )＝7.299×10-30Kg
電磁気の質量＝1.111×10-17×電磁気のエネルギー＝1.111×10-17×6.568×10−13J ＝7.297×10-30Kg
4.1MeVのｄクオークの電磁気1個のエネルギー＝6.568×10−13J ÷(6.249×108個)＝1.051×10−21J
4.1MeVのｄクオークの電磁気1個の軌道＝1.233×10−41Jm÷(1.051×10−21J)＝1.173×10−20m
電磁気1個の質量＝電磁気の質量÷電磁気の個数＝7.299×10-30Kg÷(6.249×108個)＝1.168×10-38Kg
・電磁気の質量と電磁気のエネルギーの関係
電磁気1個のエネルギー÷電磁気1個の質量＝1.051×10−21J÷(1.168×10-38Kg)＝8.998×1016
○4.1MeVのdクオークの電磁気としての性質は、電磁気1個のエネルギーは1.051×10−21Jで、1.173×10−20mの軌道を回転します。電磁気1個の質量は1.168×10-38Kgです。6.249×108個の電磁気は1束に成り1.173×10−20mの軌道を回転します。全体のエネルギーは6.568×10−13J で、質量は7.299×10-30Kgです。
5.7MeVのdクオークの粒子としての性質と電磁気としての性質について。
○電磁気を粒子として計算する。
5.7MeVのdクオークのエネルギーは、5.7MeV＝5.7×106×1.602×10−19J＝9.131×10−13J、です。 
粒子の軌道＝8.665×10-24Jm÷(9.131×10−13J )＝9.490×10-12m 
粒子の質量＝9.628×10-41Jm÷軌道＝9.628×10-41Jm÷(9.490×10-12m)＝1.015×10-29Kg 
粒子の質量＝1.111×10-17×粒子のエネルギー＝1.111×10-17×9.131×10−13J ＝1.014×10-29Kg
5.7MeVのdクオークの1個の粒子のエネルギー＝9.131×10−13J÷(6.249×108個)＝1.461×10−21J
5.7MeVのdクオークの1個の粒子の軌道＝1.233×10−41Jm÷(1.461×10−21J)＝8.439×10−20m
１個の粒子の質量＝粒子の質量÷粒子の個数＝1.015×10-29Kg÷(6.249×108個)＝1.624×10-38Kg
粒子の質量と粒子のエネルギーの関係
1個の粒子のエネルギー÷1個の粒子の質量＝1.461×10−21J÷(1.624×10-38Kg)＝8.996×1016
○電磁気は粒子でもある。それで、5.7MeVのdクオークの粒子としての性質は、粒子1個のエネルギーは1.461×10−21Jで、粒子は8.439×10−20mの軌道を回転します。粒子1個の質量は1.624×10-38Kgです。6.250×108個の粒子は1束に成り8.439×10−20mの軌道を回転していて、全体のエネルギーは9.131×10−13Jで、質量は1.015×10-29Kgです。
○電磁気として計算する。
5.7MeVのdクオークのエネルギーは、5.7MeV＝5.7×106×1.602×10−19J＝9.131×10−13J、です。
電磁気の軌道＝1.233×10−41Jm÷(9.131×10−13J)＝1.350×10-29m
電磁気の質量＝1.370×10-58Jm÷軌道＝1.370×10-58Jm÷(1.350×10-29m )＝1.015×10-29Kg
電磁気の質量＝1.111×10-17×電磁気のエネルギー＝1.111×10-17×9.131×10−13J ＝1.014×10-29Kg
5.7MeVのｄクオークの電磁気1個のエネルギー＝9.131×10−13J÷(6.249×108個)＝1.461×10−21J
5.7MeVのdクオークの電磁気1個の軌道＝1.233×10−41Jm÷(1.461×10−21J)＝8.439×10−21m
電磁気1個の質量＝電磁気の質量÷電磁気の個数＝1.015×10-29Kg÷(6.249×108個)＝1.624×10-38Kg
・電磁気の質量と電磁気のエネルギーの関係
電磁気1個のエネルギー÷電磁気1個の質量＝1.461×10−21J÷(1.624×10-38Kg)＝8.996×1016
○5.7MeVのdクオークの電磁気としての性質は、電磁気1個のエネルギーは1.461×10−21Jで、8.439×10−21mの軌道を回転します。電磁気1個の質量は1.624×10-38Kgです。6.249×108個の電磁気は1束に成り8.439×10−21mの軌道を回転します。全体のエネルギーは9.131×10−13Jで、質量は1.015×10-29Kgです。
まとめて表に示す。
4.1MeVのdクオークは粒子でもあり電磁気でもある。5.7MeVのdクオークは粒子でもあり電磁気でもある。
表３０
2017158221.tif 000032
【請求項９】
sクオークの粒子としての性質と電磁気としての性質について。80MeVのsクオークは粒子でもあり電磁気でもある。130MeVのsクオークは粒子でもあり電磁気でもある。
80MeVのsクオークの粒子としての性質と電磁気としての性質について。
○電磁気を粒子として計算する。
80MeVのsクオークのエネルギーは、80MeV＝80×106×1.602×10−19J＝1.282×10−11J、です。 
粒子の軌道＝8.665×10-24Jm÷(1.282×10−11J )＝6.759×10-13m 
粒子の質量＝9.628×10-41Jm÷軌道＝9.628×10-41Jm÷(6.759×10-13m)＝1.424×10-28Kg 
粒子の質量＝1.111×10-17×粒子のエネルギー＝1.111×10-17×1.282×10−11J＝1.424×10-28Kg
80MeVのsクオークの1個の粒子のエネルギー=1.282×10−11J÷(6.249×108個)＝2.052×10−20J 
80MeVのsクオークの1個の粒子の軌道＝1.233×10−41Jm÷(2.052×10−20J)＝6.009×10−22m
１個の粒子の質量＝粒子の質量÷粒子の個数＝1.424×10-28Kg÷(6.249×108個)＝2.279×10-37Kg
粒子の質量と粒子のエネルギーの関係
1個の粒子のエネルギー÷1個の粒子の質量＝2.052×10−20J÷(2.279×10-37Kg)＝9.004×1016
○電磁気は粒子でもある。それで、80MeVのsクオークの粒子としての性質は、粒子1個のエネルギーは2.052×10−20Jで、粒子は6.009×10−22mの軌道を回転します。粒子1個の質量は2.279×10-37Kgです。6.250×108個の粒子は1束に成り6.009×10−22mの軌道を回転していて、全体のエネルギーは 1.282×10−11Jで、質量は1.424×10-28Kg です。
○電磁気として計算する。
80MeVのsクオークのエネルギーは、80MeV＝80×106×1.602×10−19J＝1.282×10−11J、です。
この電磁気の軌道は、1.233×10−41Jm÷(1.282×10−11J )＝9.618×10-31m、です。
電磁気の質量＝1.370×10-58Jm÷軌道＝1.370×10-58Jm÷(9.618×10-31m )＝1.424×10-28Kg
電磁気の質量＝1.111×10-17×電磁気のエネルギー＝1.111×10-17×1.282×10−11J＝1.424×10-28Kg
80MeVのsクオークの電磁気1個のエネルギー＝1.282×10−11J÷(6.249×108個)＝ 2.052×10−20J
80MeVのsクオークの電磁気1個の軌道＝1.233×10−41Jm÷(2.052×10−20J)＝6.009×10−22m
電磁気1個の質量＝電磁気の質量÷電磁気の個数＝1.424×10-28Kg÷(6.249×108個)＝2.279×10-37Kg
電磁気の質量と電磁気のエネルギーの関係
電磁気1個のエネルギー÷電磁気1個の質量＝2.052×10−20J÷(2.279×10-37Kg)＝9.004×1016
○80MeVのsクオークの電磁気としての性質は、電磁気1個のエネルギーは2.052×10−20Jで、6.009×10−22mの軌道を回転します。電磁気1個の質量は2.279×10-37Kgです。6.249×108個の電磁気は1束に成り6.009×10−22mの軌道を回転します。全体のエネルギーは1.282×10−11Jで、質量は1.424×10-28Kgです。
130MeVのsクオークの粒子としての性質と電磁気としての性質について。
○電磁気を粒子として計算する。
130MeVのsクオークのエネルギーは、130MeV＝130×106×1.602×10−19J＝2.083×10−11J、です。 
粒子の軌道＝8.665×10-24Jm÷(2.083×10−11J )＝4.160×10-13m 
粒子の質量＝9.628×10-41Jm÷軌道＝9.628×10-41Jm÷(4.160×10-13m)＝2.314×10-28Kg 
粒子の質量＝1.111×10-17×粒子のエネルギー＝1.111×10-17×2.083×10−11J＝2.314×10-28Kg
130MeVのsクオークの1個の粒子のエネルギー＝2.083×10−11J ÷(6.249×108個)＝3.333×10−20J 
130MeVのsクオークの1個の粒子の軌道＝1.233×10−41Jm÷(3.333×10−20J)＝3.699×10−21m
１個の粒子の質量＝粒子の質量÷粒子の個数＝2.314×10-28Kg÷(6.249×108個)＝3.703×10-37Kg
粒子の質量と粒子のエネルギーの関係
1個の粒子のエネルギー÷1個の粒子の質量＝3.333×10−20J÷(3.703×10-37Kg)＝9.001×1016
○電磁気は粒子でもある。それで、130MeVのsクオークの粒子としての性質は、粒子1個のエネルギーは3.333×10−20J で、粒子は3.699×10−21mの軌道を回転します。粒子1個の質量は3.703×10-37Kgです。6.250×108個の粒子は1束に成り3.699×10−21mの軌道を回転していて、全体のエネルギーは 2.083×10−11Jで、質量は2.314×10-28Kg です。
○電磁気として計算する。
130MeVのsクオークのエネルギーは、130MeV＝130×106×1.602×10−19J＝2.083×10−11J、です。 
電磁気の軌道＝1.233×10−41Jm÷(2.083×10−11J )＝5.919×10-31m
電磁気の質量＝1.370×10-58Jm÷軌道＝1.370×10-58Jm÷(5.919×10-31m )＝2.315×10-28Kg
電磁気の質量＝1.111×10-17×電磁気のエネルギー＝1.111×10-17×2.083×10−11J＝2.314×10-28Kg
130MeVのsクオークの電磁気1個のエネルギー＝2.083×10−11J ÷(6.249×108個)＝3.333×10−20J
130MeVのsクオークの電磁気1個の軌道＝1.233×10−41Jm÷(3.333×10−20J)＝3.699×10−22m
電磁気1個の質量＝電磁気の質量÷電磁気の個数＝2.314×10-28Kg÷(6.249×108個)＝3.703×10-37Kg
・電磁気の質量と電磁気のエネルギーの関係
電磁気1個のエネルギー÷電磁気1個の質量＝3.333×10−20J÷(3.703×10-37Kg)＝9.001×1016
○130MeVのsクオークの電磁気としての性質は、電磁気1個のエネルギーは3.333×10−20Jで、3.699×10−22mの軌道を回転します。電磁気1個の質量は3.703×10-37Kgです。6.249×108個の電磁気は1束に成り3.699×10−22mの軌道を回転します。全体のエネルギーは2.083×10−11Jで、質量は2.315×10-28Kgです。
まとめて表に示す。
80MeVのsクオークは粒子でもあり電磁気でもある。130MeVのsクオークは粒子でもあり電磁気でもある。
表３１
2017158221.tif 000033
【請求項１０】
cクオークの粒子としての性質と電磁気としての性質について。1.18GeVのcクオークは粒子でもあり電磁気でもある。1.34GeVのcクオークは粒子でもあり電磁気でもある。
1.18GeVのcクオークの粒子としての性質と電磁気としての性質について。
○電磁気を粒子として計算する。
1.18GeVのcクオークのエネルギーは、1.18GeV＝1.18×109×1.602×10−19J＝1.890×10−10J、です。 
粒子の軌道＝8.665×10-24Jm÷(1.890×10−10J )＝4.585×10-14m 
粒子の質量＝9.628×10-41Jm÷軌道＝9.628×10-41Jm÷(4.585×10-14m)＝2.100×10-27Kg 
粒子の質量＝1.111×10-17×粒子のエネルギー＝1.111×10-17×1.890×10−10J＝2.100×10-27Kg
1.18GeVのcクオークの1個の粒子のエネルギー＝1.890×10−10J ÷(6.249×108個)＝3.024×10−19J
1.18GeVのcクオークの1個の粒子の軌道＝1.233×10−41Jm÷(3.024×10−19J)＝4.077×10−23m
１個の粒子の質量＝粒子の質量÷粒子の個数＝2.100×10-27Kg÷(6.249×108個)＝3.361×10-36Kg
粒子の質量と粒子のエネルギーの関係
1個の粒子のエネルギー÷1個の粒子の質量＝3.024×10−19J÷(3.361×10-36Kg)＝8.997×1016
○電磁気は粒子でもある。それで、1.18GeVのcクオークの粒子としての性質は、粒子1個のエネルギーは3.024×10−19J で、粒子は4.077×10−23mの軌道を回転します。粒子1個の質量は3.360×10-36Kgです。6.250×108個の粒子は1束に成り4.077×10−23mの軌道を回転していて、全体のエネルギーは 1.890×10−10Jで、質量は 2.100×10-27Kgです。
○電磁気として計算する。
1.18GeVのcクオークのエネルギーは、1.18GeV＝1.18×109×1.602×10−19J＝1.890×10−10J、です。
電磁気の軌道＝1.233×10−41Jm÷(1.890×10−10J )＝6.524×10-32m
電磁気の質量＝1.370×10-58Jm÷軌道＝1.370×10-58Jm÷(6.524×10-32m )＝2.100×10-27Kg
電磁気の質量＝1.111×10-17×電磁気のエネルギー＝1.111×10-17×1.890×10−10J＝2.100×10-27Kg
1.18GeVのcクオークの電磁気1個のエネルギー＝1.890×10−10J÷(6.249×108個)＝ 3.024×10−19J
1.18GeVのcクオークの電磁気1個の軌道＝1.233×10−41Jm÷(3.024×10−19J)＝4.077×10−23m
電磁気1個の質量＝電磁気の質量÷電磁気の個数＝2.100×10-27Kg÷(6.249×108個)＝3.361×10-36Kg
電磁気の質量と電磁気のエネルギーの関係
電磁気1個のエネルギー÷電磁気1個の質量＝3.024×10−19J÷(3.361×10-36Kg)＝8.997×1016
○1.18GeVのcクオークの電磁気としての性質は、電磁気1個のエネルギーは3.024×10−19Jで、4.077×10−23mの軌道を回転します。電磁気1個の質量は3.361×10-36Kgです。6.249×108個の電磁気は1束に成り4.077×10−23mの軌道を回転します。全体のエネルギーは1.890×10−10Jで、質量は2.100×10-27Kgです。
1.34GeVのcクオークの粒子としての性質と電磁気としての性質について。
○電磁気を粒子として計算する。
1.34GeVのcクオークのエネルギーは、1.34GeV＝1.34×109×1.602×10−19J＝2.147×10−10J、です。 
粒子の軌道＝8.665×10-24Jm÷(2.147×10−10J )＝4.036×10-14m 
粒子の質量＝9.628×10-41Jm÷軌道＝9.628×10-41Jm÷(4.036×10-14m)＝2.386×10-27Kg 
粒子の質量＝1.111×10-17×粒子のエネルギー＝1.111×10-17×2.147×10−10J＝2.385×10-27Kg
1.34GeVのcクオークの1個の粒子のエネルギー＝2.147×10−10J ÷(6.249×108個)＝3.436×10−19J
1.34GeVのcクオークの1個の粒子の軌道＝1.233×10−41Jm÷(3.436×10−19J)＝3.588×10−23m
１個の粒子の質量＝粒子の質量÷粒子の個数＝2.386×10-27Kg÷(6.249×108個)＝3.818×10-36Kg
粒子の質量と粒子のエネルギーの関係
1個の粒子のエネルギー÷1個の粒子の質量＝3.436×10−19J÷(3.818×10-36Kg)＝8.999×1016
○電磁気は粒子でもある。それで、1.34GeVのcクオークの粒子としての性質は、粒子1個のエネルギーは3.436×10−19J で、粒子は3.588×10−23mの軌道を回転します。粒子1個の質量は3.818×10-36Kgです。6.250×108個の粒子は1束に成り3.588×10−23mの軌道を回転していて、全体のエネルギーは 2.147×10−10Jで、質量は 2.386×10-27Kgです。
○電磁気として計算する。
1.34GeVのcクオークのエネルギーは、1.34GeV＝1.34×109×1.602×10−19J＝2.147×10−10J、です。
電磁気の軌道＝1.233×10−41Jm÷(2.147×10−10J )＝5.743×10-32m
電磁気の質量＝1.370×10-58Jm÷軌道＝1.370×10-58Jm÷(5.743×10-32m )＝2.386×10-27Kg
電磁気の質量＝1.111×10-17×電磁気のエネルギー＝1.111×10-17×2.147×10−10J＝2.385×10-27Kg
1.34GeVのcクオークの電磁気1個のエネルギー＝2.147×10−10J ÷(6.249×108個)＝3.436×10−19J
1.34GeVのcクオークの電磁気1個の軌道＝1.233×10−41Jm÷(3.436×10−19J)＝3.588×10−23m
電磁気1個の質量＝電磁気の質量÷電磁気の個数＝2.386×10-27Kg÷(6.249×108個)＝3.818×10-36Kg
電磁気の質量と電磁気のエネルギーの関係
電磁気1個のエネルギー÷電磁気1個の質量＝3.436×10−19J÷(3.818×10-36Kg)＝8.999×1016
○1.34GeVのcクオークの電磁気としての性質は、電磁気1個のエネルギーは3.436×10−19Jで、3.588×10−23mの軌道を回転します。電磁気1個の質量は3.818×10-36Kg です。6.249×108個の電磁気は1束に成り3.588×10−23mの軌道を回転します。全体のエネルギーは2.147×10−10Jで、質量は2.386×10-27Kgです。
まとめて表に示す。
1.18GeVのcクオークは粒子でもあり電磁気でもある。1.34GeVのcクオークは粒子でもあり電磁気でもある。
表３２
2017158221.tif 000034
【請求項１１】
bクオークの粒子としての性質と電磁気としての性質について。4.13GeVのbクオークは粒子でもあり電磁気でもある。4.37GeVのbクオークは粒子でもあり電磁気でもある。
4.13GeVのbクオークの粒子としての性質と電磁気としての性質について。
○電磁気を粒子として計算する。
4.13GeVのbクオークのエネルギーは、4.13GeV＝4.13×109×1.602×10−19J＝6.616×10−10J、です。 
粒子の軌道＝8.665×10-24Jm÷(6.616×10−10J )＝1.309×10-14m 
粒子の質量＝9.628×10-41Jm÷軌道＝9.628×10-41Jm÷(1.309×10-14m)＝7.355×10-27Kg 
粒子の質量＝1.111×10-17×粒子のエネルギー＝1.111×10-17×6.616×10−10J＝7.350×10-27Kg
4.13GeVのbクオークの1個の粒子のエネルギー＝6.616×10−10J ÷(6.249×108個)＝1.059×10−18J
4.13GeVのbクオークの1個の粒子の軌道＝1.233×10−41Jm÷(1.059×10−18J)＝1.164×10−23m
１個の粒子の質量＝粒子の質量÷粒子の個数＝7.355×10-27Kg÷(6.249×108個)＝1.177×10-35Kg
・粒子の質量と粒子のエネルギーの関係
1個の粒子のエネルギー÷1個の粒子の質量＝1.059×10−18J÷(1.177×10-35Kg)＝8.997×1016
○電磁気は粒子でもある。それで、4.13GeVのbクオークの粒子としての性質は、粒子1個のエネルギーは1.059×10−18J で、粒子は1.164×10−23mの軌道を回転します。粒子1個の質量は1.177×10-35Kgです。6.249×108個の粒子は1束に成り1.164×10−23mの軌道を回転していて、全体のエネルギーは 6.616×10−10Jで、質量は 7.355×10-27Kg です。
○電磁気として計算する。
4.13GeVのbクオークのエネルギーは、4.13GeV＝4.13×109×1.602×10−19J＝6.616×10−10J、です。 
電磁気の軌道＝1.233×10−41Jm÷(6.616×10−10J )＝1.864×10-32m
電磁気の質量＝1.370×10-58Jm÷軌道＝1.370×10-58Jm÷(1.864×10-32m )＝7.350×10-27Kg
電磁気の質量＝1.111×10-17×電磁気のエネルギー＝1.111×10-17×6.616×10−10J＝7.350×10-27Kg
4.13GeVのbクオークの電磁気1個のエネルギー＝6.616×10−10J ÷(6.249×108個)＝1.059×10−18J
4.13GeVのbクオークの電磁気1個の軌道＝1.233×10−41Jm÷(1.059×10−18J)＝1.164×10−23m
電磁気1個の質量＝電磁気の質量÷電磁気の個数＝7.350×10-27Kg÷(6.249×108個)＝1.177×10-35Kg
・電磁気の質量と電磁気のエネルギーの関係
電磁気1個のエネルギー÷電磁気1個の質量＝1.059×10−18J÷(1.177×10-35Kg)＝8.997×1016
○4.13GeVのbクオークの電磁気としての性質は、電磁気1個のエネルギーは1.059×10−18Jで、1.164×10−23mの軌道を回転します。電磁気1個の質量は1.177×10-35Kg です。6.249×108個の電磁気は1束に成り1.164×10−23mの軌道を回転します。全体のエネルギーは6.616×10−10Jで、質量は7.350×10-27Kgです。
4.37GeVのbクオークの粒子としての性質と電磁気としての性質について。
○電磁気を粒子として計算する。
4.37GeVのbクオークのエネルギーは、4.37GeV＝4.37×109×1.602×10−19J＝7.001×10−10J、です。 
粒子の軌道＝8.665×10-24Jm÷(7.001×10−10J )＝1.238×10-14m 
粒子の質量＝9.628×10-41Jm÷軌道＝9.628×10-41Jm÷(1.238×10-14m)＝7.777×10-27Kg 
粒子の質量＝1.111×10-17×粒子のエネルギー＝1.111×10-17×7.001×10−10J＝7.778×10-27Kg
4.37GeVのbクオークの1個の粒子のエネルギー＝7.001×10−10J÷(6.249×108個)＝ 1.120×10−18J
4.37GeVのbクオークの1個の粒子の軌道＝1.233×10−41Jm÷(1.120×10−18J)＝1.101×10−23m
１個の粒子の質量＝粒子の質量÷粒子の個数＝7.777×10-27Kg÷(6.251×108個)＝1.244×10-35Kg
粒子の質量と粒子のエネルギーの関係
1個の粒子のエネルギー÷1個の粒子の質量＝1.120×10−18J÷(1.244×10-35Kg)＝9.003×1016
○電磁気は粒子でもある。それで、4.37GeVのbクオークの粒子としての性質は、粒子1個のエネルギーは1.120×10−18J で、粒子は1.101×10−23mの軌道を回転します。粒子1個の質量は1.244×10-35Kgです。6.250×108個の粒子は1束に成り1.101×10−23mの軌道を回転していて、全体のエネルギーは 7.001×10−10Jで、質量は 7.777×10-27Kg です。
○電磁気として計算する。
4.37GeVのbクオークのエネルギーは、4.37GeV＝4.37×109×1.602×10−19J＝7.001×10−10J、です。
電磁気の軌道＝1.233×10−41Jm÷(7.001×10−10J )＝1.761×10-32m
電磁気の質量＝1.370×10-58Jm÷軌道＝1.370×10-58Jm÷(1.761×10-32m )＝7.780×10-27Kg
電磁気の質量＝1.111×10-17×電磁気のエネルギー＝1.111×10-17×7.001×10−10J＝7.778×10-27Kg
4.37GeVのbクオークの電磁気1個のエネルギー＝7.001×10−10J ÷(6.249×108個)＝1.120×10−18J
4.37GeVのbクオークの電磁気1個の軌道＝1.233×10−41Jm÷(1.120×10−18J)＝1.101×10−23m
電磁気1個の質量＝電磁気の質量÷電磁気の個数＝7.780×10-27Kg÷(6.249×108個)＝1.245×10-35Kg
電磁気の質量と電磁気のエネルギーの関係
電磁気1個のエネルギー÷電磁気1個の質量＝1.120×10−18J÷(1.245×10-35Kg)＝8.996×1016
○4.37GeVのbクオークの電磁気としての性質は、電磁気1個のエネルギーは1.120×10−18Jで、1.101×10−23mの軌道を回転します。電磁気1個の質量は 1.245×10-35Kgです。6.249×108個の電磁気は1束に成り1.101×10−23mの軌道を回転します。全体のエネルギーは7.001×10−10Jで、質量は7.780×10-27Kgです。
まとめて表に示す。
4.13GeVのbクオークは粒子でもあり電磁気でもある。4.37GeVのbクオークは粒子でもあり電磁気でもある。
表３３
2017158221.tif 000035
【請求項１２】
tクオークの粒子としての性質と電磁気としての性質について。172.9GeVのtクオークは粒子でもあり電磁気でもある。
172.9GeVのtクオークの粒子としての性質と電磁気としての性質について。
○電磁気を粒子として計算する。
172.9GeVのtクオークのエネルギーは、172.9GeV＝172.9×109×1.602×10−19J＝2.770×10−8J、です。 
粒子の軌道＝8.665×10-24Jm÷(2.770×10−8J )＝3.128×10-16m 
粒子の質量＝9.628×10-41Jm÷軌道＝9.628×10-41Jm÷(3.128×10-16m)＝3.078×10-25Kg 
粒子の質量＝1.111×10-17×粒子のエネルギー＝1.111×10-17×2.770×10−8J＝3.077×10-25Kg
172.9GeVのtクオークの1個の粒子のエネルギー＝2.770×10−8J÷(6.249×108個)＝4.433×10−17J
172.9GeVのtクオークの1個の粒子の軌道＝1.233×10−41Jm÷(4.433×10−17J)＝2.781×10−25m
１個の粒子の質量＝粒子の質量÷粒子の個数＝3.078×10-25Kg÷(6.249×108個)＝4.926×10-33Kg
粒子の質量と粒子のエネルギーの関係
1個の粒子のエネルギー÷1個の粒子の質量＝4.433×10−17J÷(4.926×10-33Kg)＝8.999×1016
○電磁気は粒子でもある。それで、172.9GeVのtクオークの粒子としての性質は、粒子1個のエネルギーは4.433×10−17J で、粒子は2.781×10−25mの軌道を回転します。粒子1個の質量は1.244×10-35Kgです。6.250×108個の粒子は1束に成り2.781×10−25mの軌道を回転していて、全体のエネルギーは 2.770×10−8Jで、質量は  3.078×10-25Kgです。
○電磁気として計算する。
172.9GeVのtクオークのエネルギーは、172.9GeV＝172.9×109×1.602×10−19J＝2.770×10−8J、です。 
この電磁気の軌道は、1.233×10−41Jm÷(2.770×10−8J )＝4.451×10-34m、です。
電磁気の質量＝1.370×10-58Jm÷軌道＝1.370×10-58Jm÷(4.451×10-34m )＝3.077×10-25Kg
電磁気の質量＝1.111×10-17×電磁気のエネルギー＝1.111×10-17×2.770×10−8J＝3.077×10-25Kg
172.9GeVのtクオークの電磁気1個のエネルギー＝2.770×10−8J÷(6.249×108個)＝ 4.433×10−17J
172.9GeVのtクオークの電磁気1個の粒子の軌道＝1.233×10−41Jm÷(4.433×10−17J)＝2.781×10−25m
電磁気1個の質量＝電磁気の質量÷電磁気の個数＝3.077×10-25Kg÷(6.249×108個)＝4.923×10-34Kg
電磁気の質量と電磁気のエネルギーの関係
電磁気1個のエネルギー÷電磁気1個の質量＝4.433×10−17J÷(4.923×10-34Kg)＝9.005×1016
○172.9GeVのtクオークの電磁気としての性質は、電磁気1個のエネルギーは4.433×10−17Jで、2.781×10−25mの軌道を回転します。電磁気1個の質量は 1.245×10-35Kgです。6.249×108個の電磁気は1束に成り2.781×10−25mの軌道を回転します。全体のエネルギーは2.770×10−8Jで、質量は3.077×10-25Kgです。
まとめて表に示す。
172.9GeVのtクオークは粒子でもあり電磁気でもある
表３４
2017158221.tif 000036
【発明の詳細な説明】
【技術分野】
【０００１】
本発明は、クオークに関するものである。
【背景技術】
【０００２】
2016年2月16日に提出した特願2016−026470の「請求項６」において、次のように理解した。
ミューオンの電磁気数は7.028×1017個で、タウ粒子の電磁気数は7.029×1017個で、電子のラブの電磁気数は7.027×1017個である事から、エネルギーが大きく成っても電磁気数は同数である事を理解した。
クオークの場合も陽子の中のクオークの電磁気数は6.249×108個で、電子の中のクオークの電磁気数は3.619×109個です。
これを基に、各々のクオークについて、高エネルギー加速器の中のクオークと、地表ではそれがどのように成るかを理解する。
また、「請求項８」において、クオークは電子の束であるのに、電磁気としても粒子としても質量が計算できる事を理解した。
【先行技術文献】
【特許文献】
【０００３】
【特許文献１】特願2016−026470
【発明の概要】
【発明が解決しようとする課題】
【０００４】
1．uクオークについて。高エネルギー加速器の中で1.7MeVのuクオークはどのようであるか。地表では1.7MeVのuクオークはどのようになるか。高エネルギー加速器の中で3.1MeVのuクオークはどのようであるか。地表では3.1MeVのuクオークはどのようになるか。
2．dクオークについて。高エネルギー加速器の中で4.1MeVのdクオークはどのようであるか。地表では4.1MeVのdクオークはどのようになるか。高エネルギー加速器の中で5.7MeVのdクオークはどのようであるか。地表では5.7MeVのdクオークはどのようになるか。
3．sクオークについて。高エネルギー加速器の中で80MeVのsクオークはどのようであるか。地表に於いてで80MeVのsクオークはどのようであるか。高エネルギー加速器の中で130MeVのsクオークはどのようであるか。地表に於いてで130MeVのsクオークはどのようであるか。
4．ｃクオークについて。高エネルギー加速器の中で1.18GeVのcクオークはどのようであるか。地表では1.18GeVのcクオークはどのようになるか。高エネルギー加速器の中で1.34GeVのcクオークはどのようであるか。地表では1.34GeVのcクオークはどのようになるか。
5．bクオークについて。高エネルギー加速器の中で4.13GeVのbクオークはどのようであるか。地表では4.13GeVのbクオークはどのようになるか。高エネルギー加速器の中で4.37GeVのbクオークはどのようであるか。地表では4.37GeVのbクオークはどのようになるか。
6．ｔクオークについて。高エネルギー加速器の中で172.9GeVのtクオークはどのようであるか。地表では172.9GeVのtクオークはどのようになるか。
7．uクオークの粒子としての性質と電磁気としての性質について。1.7MeVのuクオークは粒子でもあり電磁気でもある。3.1MeVのuクオークは粒子でもあり電磁気でもある。
8．dクオークの粒子としての性質と電磁気としての性質について。4.1MeVのdクオークは粒子でもあり電磁気でもある。5.7MeVのdクオークは粒子でもあり電磁気でもある。
9．sクオークの粒子としての性質と電磁気としての性質について。80MeVのsクオークは粒子でもあり電磁気でもある。130MeVのsクオークは粒子でもあり電磁気でもある。
10．cクオークの粒子としての性質と電磁気としての性質について。1.18GeVのcクオークは粒子でもあり電磁気でもある。1.34GeVのcクオークは粒子でもあり電磁気でもある。
11．bクオークの粒子としての性質と電磁気としての性質について。4.13GeVのbクオークは粒子でもあり電磁気でもある。4.37GeVのbクオークは粒子でもあり電磁気でもある。
12．tクオークの粒子としての性質と電磁気としての性質について。172.9GeVのtクオークは粒子でもあり電磁気でもある。
【課題を解決するための手段】
【０００５】
1．高エネルギー加速器の中で1.7MeVのuクオークはどのようであるか。
陽子の中の1.7MeVのuクオークの電磁気数は6.249×108個です。
1.7MeV＝1.7×106×1.602×10−19J＝2.723×10−13J
高エネルギー加速器の中で、電磁気1個のエネルギー＝2.723×10−13J÷(6.249×108個)＝4.357×10−22J、です。
陽子の中で、この電磁気の軌道は、6.724×10−45Jm÷(4.357×10−22J)＝1.543×10−23m、です。
地表では、1.7MeVのuクオークのエネルギーは3×108分の1になり、軌道は3×108倍に成る。
2．高エネルギー加速器の中で4.1MeVのdクオークはどのようであるか。
陽子の中の4.1MeVのdクオークの電磁気数は6.249×108個です。
4.1MeV＝4.1×106×1.602×10−19J＝6.568×10−13J
高エネルギー加速器の中で、電磁気1個のエネルギー＝6.568×10−13J ÷(6.249×108個)＝1.051×10−21J、です。
陽子の中で、この電磁気の軌道は、6.724×10−45Jm÷(3.024×10−19J)＝2.224×10−26m、です。
地表では、4.1MeVのdクオークのエネルギーは3×108分の1になり、軌道は3×108倍に成る。
3. 高エネルギー加速器の中で80MeVのsクオークはどのようであるか。
Σ＋粒子の中の80MeVのsクオークの電磁気数は6.249×108個です。
80MeV＝80×106×1.602×10−19J＝1.282×10−11J
高エネルギー加速器の中で、電磁気1個のエネルギー＝1.282×10−11J÷(6.249×108個)＝2.052×10−20J、です。
Σ＋粒子の中で、この電磁気の軌道は、6.724×10−45Jm÷(2.052×10−20J)＝3.277×10−25m、です。
地表では、80MeVのsクオークのエネルギーは3×108分の1になり、軌道は3×108倍に成る。
4.高エネルギー加速器の中で1.18GeVのcクオークはどのようであるか。
Λ＋c粒子の中の1.18GeVのcクオークの電磁気数は6.249×108個です。
1.18GeV＝1.18×109×1.602×10−19J＝1.890×10−10J
高エネルギー加速器の中で、電磁気1個のエネルギー＝1.890×10−10J÷(6.249×108個)＝3.024×10−19J、です。
Λ＋c粒子の中で、この電磁気の軌道は、6.724×10−45Jm÷(3.024×10−19J)＝2.224×10−26m、です。
地表では、1.18GeVのcクオークのエネルギーは3×108分の1になり、軌道は3×108倍に成る。
5. 高エネルギー加速器の中で4.13GeVのbクオークはどのようであるか。
B+粒子の中の4.13GeVのbクオークの電磁気数は6.249×108個です。
4.13GeV＝4.13×109×1.602×10−19J＝6.616×10−10J
高エネルギー加速器の中で、電磁気1個のエネルギー＝6.616×10−10J÷(6.249×108個)＝1.059×10−18J、です。
B+粒子の中で、この電磁気の軌道は、6.724×10−45Jm÷(1.059×10−18J)＝6.349×10−27m、です。
地表では、4.13GeVのbクオークのエネルギーは3×108分の1になり、軌道は3×108倍に成る。
6. 高エネルギー加速器の中で172.9GeVのtクオークはどのようであるか。
粒子の中の172.9GeVのtクオークの電磁気数は6.249×108個です。
172.9GeV＝172.9×109×1.602×10−19J＝2.770×10−8J
高エネルギー加速器の中で、電磁気1個のエネルギー＝2.770×10−8J÷(6.249×108個)＝4.433×10−17J、です。
粒子の中で、この電磁気の軌道は、6.724×10−45Jm÷(4.433×10−17J)＝1.517×10−28m、です。
地表では、172.9GeVのtクオークのエネルギーは3×108分の1になり、軌道は3×108倍に成る。
7. 電磁気を粒子として計算する。
1.7MeVのuクオークのエネルギーは、1.7MeV＝1.7×106×1.602×10−19J＝2.723×10−13J、です。 
粒子の軌道＝8.665×10-24Jm÷(2.723×10−13J )＝3.182×10-11m 
粒子の質量＝9.628×10-41Jm÷軌道＝9.628×10-41Jm÷(3.182×10-11m)＝3.026×10-30Kg
電磁気として計算する。
1.7MeVのuクオークのエネルギーは、1.7MeV＝1.7×106×1.602×10−19J＝2.723×10−13J、です。
この電磁気の軌道は、1.233×10−41Jm÷(2.723×10−13J)＝4.528×10-29m、です。
電磁気の質量＝1.370×10-58Jm÷軌道＝1.370×10-58Jm÷(4.528×10-29m )＝3.026×10-30Kg
8．電磁気を粒子として計算する。
4.1MeVのdクオークのエネルギーは、4.1MeV＝4.1×106×1.602×10−19J＝6.568×10−13J、です。 
粒子の軌道＝8.665×10-24Jm÷(6.568×10−13J )＝1.319×10-11m 
粒子の質量＝9.628×10-41Jm÷軌道＝9.628×10-41Jm÷(1.319×10-11m)＝7.299×10-30Kg
電磁気として計算する。
4.1MeVのdクオークのエネルギーは、4.1MeV＝4.1×106×1.602×10−19J＝6.568×10−13J、です。
この電磁気の軌道は、1.233×10−41Jm÷(6.568×10−13J)＝1.877×10-29m、です。
電磁気の質量＝1.370×10-58Jm÷軌道＝1.370×10-58Jm÷(1.877×10-29m )＝7.299×10-30Kg
9．電磁気を粒子として計算する。
80MeVのsクオークのエネルギーは、80MeV＝80×106×1.602×10−19J＝1.282×10−11J、です。 
粒子の軌道＝8.665×10-24Jm÷(1.282×10−11J )＝6.759×10-13m 
粒子の質量＝9.628×10-41Jm÷軌道＝9.628×10-41Jm÷(6.759×10-13m)＝1.424×10-28Kg
電磁気として計算する。
80MeVのsクオークのエネルギーは、80MeV＝80×106×1.602×10−19J＝1.282×10−11J、です。
この電磁気の軌道は、1.233×10−41Jm÷(1.282×10−11J )＝9.618×10-31m、です。
電磁気の質量＝1.370×10-58Jm÷軌道＝1.370×10-58Jm÷(9.618×10-31m )＝1.424×10-28Kg
10．電磁気を粒子として計算する。
1.18GeVのcクオークのエネルギーは、1.18GeV＝1.18×109×1.602×10−19J＝1.890×10−10J、です。 
粒子の軌道＝8.665×10-24Jm÷(1.890×10−10J )＝4.585×10-14m 
粒子の質量＝9.628×10-41Jm÷軌道＝9.628×10-41Jm÷(4.585×10-14m)＝2.100×10-27Kg 
電磁気として計算する。
1.18GeVのcクオークのエネルギーは、1.18GeV＝1.18×109×1.602×10−19J＝1.890×10−10J、です。
電磁気の軌道＝1.233×10−41Jm÷(1.890×10−10J )＝6.524×10-32m
電磁気の質量＝1.370×10-58Jm÷軌道＝1.370×10-58Jm÷(6.524×10-32m )＝2.100×10-27Kg
11．電磁気を粒子として計算する。
4.13GeVのbクオークのエネルギーは、4.13GeV＝4.13×109×1.602×10−19J＝6.616×10−10J、です。 
粒子の軌道＝8.665×10-24Jm÷(6.616×10−10J )＝1.309×10-14m 
粒子の質量＝9.628×10-41Jm÷軌道＝9.628×10-41Jm÷(1.309×10-14m)＝7.355×10-27Kg
電磁気として計算する。
4.13GeVのbクオークのエネルギーは、4.13GeV＝4.13×109×1.602×10−19J＝6.616×10−10J、です。 
この電磁気の軌道は、1.233×10−41Jm÷(6.616×10−10J )＝1.864×10-32m、です。
電磁気の質量＝1.370×10-58Jm÷軌道＝1.370×10-58Jm÷(1.864×10-32m )＝7.350×10-27Kg
12．電磁気を粒子として計算する。
172.9GeVのtクオークのエネルギーは、172.9GeV＝172.9×109×1.602×10−19J＝2.770×10−8J、です。 
粒子の軌道＝8.665×10-24Jm÷(2.770×10−8J )＝3.128×10-16m 
粒子の質量＝9.628×10-41Jm÷軌道＝9.628×10-41Jm÷(3.128×10-16m)＝3.078×10-25Kg
電磁気として計算する。
172.9GeVのtクオークのエネルギーは、172.9GeV＝172.9×109×1.602×10−19J＝2.770×10−8J、です。 
この電磁気の軌道は、1.233×10−41Jm÷(2.770×10−8J )＝4.451×10-34m、です。
電磁気の質量＝1.370×10-58Jm÷軌道＝1.370×10-58Jm÷(4.451×10-34m )＝3.077×10-25Kg
【発明の効果】
【０００６】
1．表に示す。
2. 表に示す。
3. 表に示す。
4. 表に示す。
5. 表に示す。
6. 表に示す。
7. 表に示す。
8. 表に示す。
9. 表に示す。
10. 表に示す。
11. 表に示す。
12. 表に示す。
【図面の簡単な説明】
【０００７】
【図１】図１は高エネルギー加速器の中で80MeVのsクオークはどのようであるかを図示する。Σ＋粒子の中の80MeVのsクオークの電磁気数は6.249×108個です。80MeV＝80×106×1.602×10−19J＝1.282×10−11J高エネルギー加速器の中で、電磁気1個のエネルギー＝1.282×10−11J÷(6.249×108個)＝2.052×10−20J、です。Σ＋粒子の中で、この電磁気の軌道は、6.724×10−45Jm÷(2.052×10−20J)＝3.277×10−25m、です。即ち、高エネルギー加速器のΣ＋粒子の中で、80MeVのsクオークの電磁気1個のエネルギーは2.052×10−20Jで、電磁気の軌道は3.277×10−25m です。この電磁気が6.249×108個1束に成り3.277×10−25mの軌道を回転している。このエネルギーは1.282×10−11Jです。○高エネルギー加速器の中でΣ＋粒子はどのようであるか。高エネルギー加速器の中でΣ＋粒子のエネルギーは地表の3×108倍ですから、Σ＋粒子のエネルギー＝Σ＋粒子のエネルギー×3×108＝1189.37×106×1.602×10−19J×3×108＝1.905×10−10J×3×108＝5.715×10−2J、です。Σ＋粒子の公転軌道＝8.665×10−24Jm÷(5.715×10−2J)＝1.516×10−22m高エネルギー加速器の中で、Σ＋粒子のエネルギーは5.715×10−2Jで、Σ＋粒子の公転軌道は1.516×10−22mです。この中に、クオークである電磁気の束が回転している。○地表では80MeVのsクオークはどのようになるか。地表では、エネルギーは3×108分の1になり、軌道は3×108倍に成ります。地表の80MeVのsクオークのエネルギーは、80MeV÷(3×108)＝1.282×10−11J ÷(3×108)＝4.273×10−20J、です。地表で、電磁気1個のエネルギー＝4.273×10−20J÷(6.249×108個)＝7.569×10−29J、です。Σ＋粒子の中で、この電磁気の軌道は、6.724×10−45Jm÷(7.569×10−29J)＝8.883×10−17m、です。即ち、地表で、80MeVのsクオークの電磁気1個のエネルギーは7.569×10−29Jで、電磁気の軌道は  8.883×10−17mです。この電磁気が6.249×108個1束に成り8.883×10−17mの軌道を回転している。この全体のエネルギーは4.273×10−20Jです。○地表のΣ＋粒子はどのようであるか。地表のΣ＋粒子のエネルギーは1189.37MeV＝1189.37×106×1.602×10−19J＝1.905×10−10J、です。地表のΣ＋粒子の公転軌道＝8.665×10−24Jm÷(1.905×10−10J)＝4.549×10−14mこの中に、地表のクオークである電磁気の束が回転している。
【図２】図２は80MeVのsクオークの粒子としての性質と電磁気としての性質を図示する。○この場は、高エネルギー加速器の場で、地表の3×108倍のエネルギーの場です。○電磁気を粒子として計算する。80MeVのsクオークのエネルギーは、80MeV＝80×106×1.602×10−19J＝1.282×10−11J、です。 粒子の軌道＝8.665×10-24Jm÷(1.282×10−11J )＝6.759×10-13m 粒子の質量＝9.628×10-41Jm÷軌道＝9.628×10-41Jm÷(6.759×10-13m)＝1.424×10-28Kg 粒子の質量＝1.111×10-17×粒子のエネルギー＝1.111×10-17×1.282×10−11J＝1.424×10-28Kg80MeVのsクオークの1個の粒子のエネルギー＝1.282×10−11J ÷(6.249×108)＝2.052×10−20J 80MeVのsクオークの1個の粒子の軌道＝1.233×10−41Jm÷(2.052×10−20J)＝6.009×10−22m１個の粒子の質量＝粒子の質量÷粒子の個数＝1.424×10-28Kg÷(6.248×108個)＝2.279×10-37Kg粒子の質量と粒子のエネルギーの関係1個の粒子のエネルギー÷1個の粒子の質量＝2.052×10−20J÷(2.279×10-37Kg)＝9.004×1016○電磁気は粒子でもある。それで、80MeVのsクオークの粒子としての性質は、粒子1個のエネルギーは2.052×10−20Jで、粒子は6.009×10−22mの軌道を回転します。粒子1個の質量は2.279×10-37Kgです。6.250×108個の粒子は1束に成り6.009×10−22mの軌道を回転していて、全体のエネルギーは 1.282×10−11Jで、質量は1.424×10-28Kg です。○電磁気として計算する。80MeVのsクオークのエネルギーは、80MeV＝80×106×1.602×10−19J＝1.282×10−11J、です。この電磁気の軌道は、1.233×10−41Jm÷(1.282×10−11J )＝9.618×10-31m、です。電磁気の質量＝1.370×10-58Jm÷軌道＝1.370×10-58Jm÷(9.618×10-31m )＝1.424×10-28Kg電磁気の質量＝1.111×10-17×電磁気のエネルギー＝1.111×10-17×1.282×10−11J＝1.424×10-28Kg80MeVのsクオークの電磁気1個のエネルギー＝全体のエネルギー÷電磁気の個数＝1.282×10−11J ÷(6.249×108個)＝2.052×10−20J80MeVのsクオークの電磁気1個の粒子の軌道＝1.233×10−41Jm÷(2.052×10−20J)＝6.009×10−22m電磁気1個の質量＝電磁気の質量÷電磁気の個数＝1.424×10-28Kg÷(6.249×108個)＝2.279×10-37Kg電磁気の質量と電磁気のエネルギーの関係電磁気1個のエネルギー÷電磁気1個の質量＝2.052×10−20J÷(2.279×10-37Kg)＝9.004×1016○80MeVのsクオークの電磁気としての性質は、電磁気1個のエネルギーは2.052×10−20Jで、6.009×10−22mの軌道を回転します。電磁気1個の質量は2.279×10-37Kgです。6.249×108個の電磁気は1束に成り6.009×10−22mの軌道を回転します。全体のエネルギーは1.282×10−11Jで、質量は1.424×10-28Kgです。
【発明を実施するための形態】
【０００８】
１．    uクオークについて。高エネルギー加速器の中で1.7MeVのuクオークはどのようであるか。地表では1.7MeVのuクオークはどのようになるか。高エネルギー加速器の中で3.1MeVのuクオークはどのようであるか。地表では3.1MeVのuクオークはどのようになるか。
uクオークの質量は1.7〜3.1MeVです。
・1.7MeVのuクオークについて。
○高エネルギー加速器の中で1.7MeVのuクオークはどのようであるか。地表では1.7MeVのuクオークはどのようになるか。
陽子の中の1.7MeVのuクオークの電磁気数は6.249×108個です。
1.7MeV＝1.7×106×1.602×10−19J＝2.723×10−13J
高エネルギー加速器の中で、電磁気1個のエネルギー＝2.723×10−13J÷(6.249×108個)＝4.357×10−22J、です。
陽子の中で、この電磁気の軌道は、6.724×10−45Jm÷(4.357×10−22J)＝1.543×10−23m、です。
即ち、高エネルギー加速器の中で、1.7MeVのuクオークの電磁気1個のエネルギーは4.357×10−22Jで、電磁気の軌道は1.543×10−23mです。この電磁気が6.249×108個1束に成り回転している。この全体のエネルギーは2.723×10−13Jです。
○高エネルギー加速器の中で陽子のラブはどのようであるか。
高エネルギー加速器の中で陽子のラブのエネルギーは地表の3×108倍ですから、陽子のラブのエネルギー＝地表の陽子のラブのエネルギー×3×108＝1.503×10−10J×3×108＝4.509×10−2J、です。
陽子のラブの公転軌道＝8.665×10−24Jm÷(4.509×10−2J)＝1.922×10−22m
高エネルギー加速器の中で、陽子のラブのエネルギーは4.509×10−2Jで、陽子のラブの公転軌道は1.922×10−22mです。
この中に、クオークである電磁気の束が存在する。
・3.1 MeVのuクオークについて。
○高エネルギー加速器の中で3.1MeVのuクオークはどのようであるか。
陽子の中の3.1MeVのuクオークの電磁気数は6.249×108個です。
3.1MeV＝3.1×106×1.602×10−19J＝4.966×10−13J
高エネルギー加速器の中で、電磁気1個のエネルギー＝4.966×10−13J÷(6.249×108個)＝7.947×10−22J、です。
陽子の中で、この電磁気の軌道は、6.724×10−45Jm÷(7.947×10−22J)＝8.461×10−24m、です。
即ち、高エネルギー加速器の中で、3.1MeVのuクオークの電磁気1個のエネルギーは7.947×10−22Jで、電磁気の軌道は8.461×10−24mです。この電磁気が6.249×108個1束に成り回転し、この全体のエネルギーは4.966×10−13Jです。
○地表では1.7MeVのuクオークはどのようになるか。
地表では、エネルギーは3×108分の1になり、軌道は3×108倍に成ります。
1.7MeVのクオークのエネルギーは、1.7MeV÷(3×108)＝2.723×10−13J÷(3×108)＝9.077×10−22J、です。
地表で、電磁気1個のエネルギー＝9.077×10−22J÷(6.249×108個)＝1.453×10−30J、です。
地表の陽子の中で、この電磁気の軌道は、6.724×10−45Jm÷(1.453×10−30J)＝4.628×10−15m、です。
即ち、地表で、1.7MeVのuクオークの電磁気1個のエネルギーは1.453×10−30Jで、電磁気の軌道は4.628×10−15mです。この電磁気が6.249×108個1束に成り回転している。この全体のエネルギーは9.077×10−22Jです。
○地表で陽子のラブはどのようであるか。
地表の陽子のラブのエネルギーは、1.503×10−10Jで、公転軌道は、8.665×10−24Jm÷(1.503×10−10J)＝5.765×10−14m、です。
この陽子のラブの公転軌道の中に、地表のクオークであった物が存在する。
○地表では3.1MeVのuクオークはどのようになるか。
地表では、エネルギーは3×108分の1になり、軌道は3×108倍に成ります。
3.1MeVのクオークのエネルギーは、3.1MeV÷(3×108)＝4.966×10−13J÷(3×108)＝1.655×10−21J、です。
地表で、電磁気1個のエネルギー＝9.077×10−22J÷(6.249×108個)＝1.453×10−30J、です。
陽子の中で、この電磁気の軌道は、6.724×10−45Jm÷(1.453×10−30J)＝4.628×10−15m、です。
即ち、地表で、3.1MeVのuクオークの電磁気1個のエネルギーは1.453×10−30Jで、電磁気の軌道は 4.628×10−15mです。この電磁気が6.249×108個1束に成り回転し、この全体のエネルギーは1.655×10−21Jです。
まとめて表に示す。
高エネルギー加速器の中で1.7MeVのuクオークはどのようであるか。地表では1.7MeVのuクオークはどのようになるか。
表１
2017158221.tif 000003
まとめて表に示す。
高エネルギー加速器の中で3.1MeVのuクオークはどのようであるか。地表では3.1MeVのuクオークはどのようになるか。
表２
2017158221.tif 000004
２．    dクオークについて。高エネルギー加速器の中で4.1MeVのdクオークはどのようであるか。地表では4.1MeVのdクオークはどのようになるか。高エネルギー加速器の中で5.7MeVのdクオークはどのようであるか。地表では5.7MeVのdクオークはどのようになるか。
dクオークの質量は4.1〜5.7MeVです。
・4.1MeVのクオークについて。
○高エネルギー加速器の中で4.1MeVのdクオークはどのようであるか。
陽子の中の4.1MeVのdクオークの電磁気数は6.249×108個です。
4.1MeV＝4.1×106×1.602×10−19J＝6.568×10−13J
高エネルギー加速器の中で、電磁気1個のエネルギー＝6.568×10−13J ÷(6.249×108個)＝1.051×10−21J、です。
陽子の中で、この電磁気の軌道は、6.724×10−45Jm÷(1.051×10−21J)＝6.398×10−24m、です。
即ち、高エネルギー加速器の中で、陽子の中の4.1MeVのdクオークの電磁気1個のエネルギーは1.051×10−21J で、電磁気の軌道は2.224×10−26mです。この電磁気が6.249×108個1束に成り回転し、この全体のエネルギーは6.568×10−13Jです。
・5.7MeVのクオークについて。
○高エネルギー加速器の中で5.7MeVのdクオークはどのようであるか。
陽子の中の5.7MeVのdクオークの電磁気数は6.249×108個です。
5.7MeV＝5.7×106×1.602×10−19J＝9.131×10−13J
高エネルギー加速器の中で、電磁気1個のエネルギー＝9.131×10−13J ÷(6.249×108個)＝1.461×10−21J、です。
陽子の中で、この電磁気の軌道は、6.724×10−45Jm÷(1.461×10−21J)＝4.602×10−24m、です。
即ち、高エネルギー加速器の中で、陽子の中の5.7MeVのdクオークの電磁気1個のエネルギーは1.461×10−21J で、電磁気の軌道は4.602×10−24m です。この電磁気が6.249×108個1束に成り回転し、この全体のエネルギーは9.131×10−13Jです。
○高エネルギー加速器の中で陽子のラブはどのようであるか。
高エネルギー加速器の中で陽子のラブのエネルギーは地表の3×108倍ですから、陽子のラブのエネルギー＝地表の陽子のラブのエネルギー×3×108＝1.503×10−10J×3×108＝4.509×10−2J、です。
陽子のラブの公転軌道＝8.665×10−24Jm÷(4.509×10−2J)＝1.922×10−22m
高エネルギー加速器の中で、陽子のラブのエネルギーは4.509×10−2Jで、陽子のラブの公転軌道は1.922×10−22mです。
この中に、クオークである電磁気の束が存在する。
○地表では4.1MeVのdクオークはどのようになるか。
地表では、エネルギーは3×108分の1になり、軌道は3×108倍に成ります。
4.1MeVのクオークのエネルギーは、4.1MeV÷(3×108)＝4.1×106×1.602×10−19J÷(3×108)＝6.568×10−13J÷(3×108)＝2.189×10−21J、です。
地表で、電磁気1個のエネルギー＝2.189×10−21J÷(6.249×108個)＝3.503×10−30J、です。
陽子の中で、この電磁気の軌道は、6.724×10−45Jm÷(3.503×10−30J)＝1.919×10−15m、です。
即ち、地表で、4.1MeVのdクオークの電磁気1個のエネルギーは3.503×10−30J で、電磁気の軌道は1.919×10−15m です。この電磁気が6.249×108個1束に成り回転し、この全体のエネルギーは2.189×10−21Jです。
○地表では5.7MeVのdクオークはどのようになるか。
地表では、エネルギーは3×108分の1になり、軌道は3×108倍に成ります。
5.7MeVのクオークのエネルギーは、5.7MeV÷(3×108)＝5.7×106×1.602×10−19J÷(3×108)＝9.131×10−13J÷(3×108)＝3.044×10−21J、です。
地表で、電磁気1個のエネルギー＝3.044×10−21J÷(6.249×108個)＝4.871×10−30J、です。
陽子の中で、この電磁気の軌道は、6.724×10−45Jm÷(4.871×10−30J)＝1.380×10−15m、です。
即ち、地表で、5.7MeVのdクオークの電磁気1個のエネルギーは4.871×10−30J で、電磁気の軌道は1.380×10−15m です。この電磁気が6.249×108個1束に成り回転し、この全体のエネルギーは3.044×10−21Jです。
○地表で陽子のラブはどのようであるか。
地表の陽子のラブのエネルギーは、1.503×10−10Jで、公転軌道は、8.665×10−24Jm÷(1.503×10−10J)＝5.765×10−14m、です。
この陽子のラブの公転軌道の中に、地表のクオークであった物が存在する。
まとめて表に示す。
高エネルギー加速器の中で4.1MeVのdクオークはどのようであるか。地表では4.1MeVのdクオークはどのようになるか。
表３
2017158221.tif 000005
まとめて表に示す。
高エネルギー加速器の中で5.7MeVのdクオークはどのようであるか。地表では5.7MeVのdクオークはどのようになるか。
表４
2017158221.tif 000006
３．    sクオークについて。高エネルギー加速器の中で80MeVのsクオークはどのようであるか。地表に於いてで80MeVのsクオークはどのようであるか。高エネルギー加速器の中で130MeVのsクオークはどのようであるか。地表に於いてで130MeVのsクオークはどのようであるか。
sクオークの質量は80〜130MeVです。
・80MeVのsクオークについて。
○高エネルギー加速器の中で80MeVのsクオークはどのようであるか。
Σ＋粒子の中の80MeVのsクオークの電磁気数は6.249×108個です。
80MeV＝80×106×1.602×10−19J＝1.282×10−11J
高エネルギー加速器の中で、電磁気1個のエネルギー＝1.282×10−11J÷(6.249×108個)＝2.052×10−20J、です。
Σ＋粒子の中で、この電磁気の軌道は、6.724×10−45Jm÷(2.052×10−20J)＝3.277×10−25m、です。
即ち、高エネルギー加速器のΣ＋粒子の中で、80MeVのsクオークの電磁気1個のエネルギーは2.052×10−20Jで、電磁気の軌道は3.277×10−25m です。この電磁気が6.249×108個1束に成り回転し、この全体のエネルギーは1.282×10−11Jです。
130MeVのsクオークについて。
○高エネルギー加速器の中で130MeVのsクオークはどのようであるか。
Σ＋粒子の中の130MeVのsクオークの電磁気数は6.249×108個です。
130MeV＝130×106×1.602×10−19J＝2.083×10−11J
高エネルギー加速器の中で、電磁気1個のエネルギー＝2.083×10−11J÷(6.249×108個)＝3.333×10−20J、です。  
Σ＋粒子の中で、この電磁気の軌道は、6.724×10−45Jm÷(3.333×10−20J)＝2.017×10−25m、です。
即ち、高エネルギー加速器のΣ＋粒子の中で、130MeVのsクオークの電磁気1個のエネルギーは3.333×10−20Jで、電磁気の軌道は2.017×10−25m です。この電磁気が6.249×108個1束に成り回転し、この全体のエネルギーは2.083×10−11Jです。
○高エネルギー加速器の中でΣ＋粒子はどのようであるか。
高エネルギー加速器の中でΣ＋粒子のエネルギーは地表の3×108倍ですから、Σ＋粒子のエネルギー＝Σ＋粒子のエネルギー×3×108＝1189.37×106×1.602×10−19J×3×108＝1.905×10−10J×3×108＝5.715×10−2J、です。
Σ＋粒子の公転軌道＝8.665×10−24Jm÷(5.715×10−2J)＝1.516×10−22m
高エネルギー加速器の中で、Σ＋粒子のエネルギーは5.715×10−2Jで、陽子のラブの公転軌道は1.516×10−22mです。
この中に、クオークである電磁気の束が存在する。
○地表では80MeVのsクオークはどのようになるか。
地表では、エネルギーは3×108分の1になり、軌道は3×108倍に成ります。
80MeVのsクオークのエネルギーは、80MeV÷(3×108)＝1.282×10−11J ÷(3×108)＝4.273×10−20J、です。
地表で、電磁気1個のエネルギー＝4.273×10−20J÷(6.249×108個)＝7.569×10−29J、です。
Σ＋粒子の中で、この電磁気の軌道は、6.724×10−45Jm÷(7.569×10−29J)＝8.883×10−17m、です。
即ち、地表で、80MeVのsクオークの電磁気1個のエネルギーは7.569×10−29Jで、電磁気の軌道は  8.883×10−17mです。この電磁気が6.249×108個1束に成り回転し、この全体のエネルギーは4.273×10−20Jです。
○地表では130MeVのsクオークはどのようになるか。
地表では、エネルギーは3×108分の1になり、軌道は3×108倍に成ります。
130MeVのsクオークのエネルギーは、130MeV÷(3×108)＝2.083×10−11J÷(3×108)＝6.943×10−20J、です。
地表で、電磁気1個のエネルギー＝6.943×10−20J÷(6.249×108個)＝1.111×10−28J、です。
Σ＋粒子の中で、この電磁気の軌道は、6.724×10−45Jm÷(1.111×10−28J)＝6.052×10−17m、です。
即ち、地表で、130MeVのsクオークの電磁気1個のエネルギーは1.111×10−28Jで、電磁気の軌道は  6.052×10−17mです。この電磁気が6.249×108個1束に成り回転し、この全体のエネルギーは6.943×10−20Jです。
○地表のΣ＋粒子はどのようであるか。
Σ＋粒子のエネルギーは1189.37MeV＝1189.37×106×1.602×10−19J＝1.905×10−10J、です。
Σ＋粒子の公転軌道＝8.665×10−24Jm÷(1.905×10−10J)＝4.549×10−14m
この中に、地表のクオークである電磁気の束が存在する。
この事をまとめて表に示す。
高エネルギー加速器の中で80MeVのsクオークはどのようであるか。地表に於いてで80MeVのsクオークはどのようであるか。
表５
2017158221.tif 000007
まとめて表に示す。
高エネルギー加速器の中で130MeVのsクオークはどのようであるか。地表に於いてで130MeVのsクオークはどのようであるか。
表６
2017158221.tif 000008
４．    ｃクオークについて。高エネルギー加速器の中で1.18GeVのcクオークはどのようであるか。地表では1.18GeVのcクオークはどのようになるか。高エネルギー加速器の中で1.34GeVのcクオークはどのようであるか。地表では1.34GeVのcクオークはどのようになるか。
cクオークの質量は1.18〜1.34GeVです。
・1.18GeVのcクオークについて。
○高エネルギー加速器の中で1.18GeVのcクオークはどのようであるか。
Λ＋c粒子の中の1.18GeVのcクオークの電磁気数は6.249×108個です。
1.18GeV＝1.18×109×1.602×10−19J＝1.890×10−10J
高エネルギー加速器の中で、電磁気1個のエネルギー＝1.890×10−10J÷(6.249×108個)＝3.024×10−19J、です。
Λ＋c粒子の中で、この電磁気の軌道は、6.724×10−45Jm÷(3.024×10−19J)＝2.224×10−26m、です。
即ち、高エネルギー加速器の中で、1.18GeVのcクオークの電磁気1個のエネルギーは3.024×10−19Jで、電磁気の軌道は2.224×10−26mです。この電磁気が6.249×108個1束に成り回転し、この全体のエネルギーは1.890×10−10Jです。
○高エネルギー加速器の中で1.34GeVのcクオークはどのようであるか。
Λ＋c粒子の中の1.34GeVのcクオークの電磁気数は6.249×108個です。
1.34GeV＝1.34×109×1.602×10−19J＝2.147×10−10J
高エネルギー加速器の中で、電磁気1個のエネルギー＝2.147×10−10J÷(6.249×108個)＝3.436×10−19J、です。
Λ＋c粒子の中で、この電磁気の軌道は、6.724×10−45Jm÷(3.436×10−19J)＝1.957×10−26m、です。
即ち、高エネルギー加速器の中で、1.34GeVのcクオークの電磁気1個のエネルギーは3.436×10−19Jで、電磁気の軌道は1.957×10−26mです。この電磁気が6.249×108個1束に成り回転し、この全体のエネルギーは2.147×10−10Jです。
○高エネルギー加速器の中でΛ＋c粒子はどのようであるか。
高エネルギー加速器の中で、Λ＋c粒子のエネルギーは地表の3×108倍ですから、Λ＋c粒子のエネルギー＝地表のΛ＋c粒子のエネルギー×3×108＝2286.46×106×1.602×10−19J×3×108＝3.663×10−10J×3×108＝1.099×10−1J、です。
高エネルギー加速器の中のΛ＋c粒子の公転軌道＝8.665×10−24Jm÷(1.099×10−1J)＝7.884×10−23m
この中に、クオークである電磁気の束が存在する。
○地表では1.18GeVのcクオークはどのようになるか。
地表では、エネルギーは3×108分の1になり、軌道は3×108倍に成ります。
1.18GeVのクオークのエネルギーは、1.18GeV÷(3×108)＝1.890×10−10J÷(3×108)＝6.300×10−19J、です。
地表で、電磁気1個のエネルギー＝6.300×10−19J÷(6.249×108個)＝1.008×10−27J、です。
Λ＋c粒子の中で、この電磁気の軌道は、6.724×10−45Jm÷(1.008×10−27J)＝6.071×10−18m、です。
即ち、地表で、1.34GeVのcクオークの電磁気1個のエネルギーは1.008×10−27Jで、電磁気の軌道は 6.071×10−18m です。この電磁気が6.249×108個1束に成り回転し、この全体のエネルギーは6.300×10−19Jです。
○地表では1.34GeVのcクオークはどのようになるか。
地表では、エネルギーは3×108分の1になり、軌道は3×108倍に成ります。
1.34GeVのクオークのエネルギーは、1.34GeV÷(3×108)＝2.147×10−10J÷(3×108)＝7.157×10−19J、です。
地表で、電磁気1個のエネルギー＝7.157×10−19J÷(6.249×108個)＝1.145×10−27J、です。
Λ＋c粒子の中で、この電磁気の軌道は、6.724×10−45Jm÷(1.145×10−27J)＝5.872×10−18m、です。
即ち、地表で、1.34GeVのcクオークの電磁気1個のエネルギーは1.145×10−27Jで、電磁気の軌道は 5.872×10−18m です。この電磁気が6.249×108個1束に成り回転し、この全体のエネルギーは7.157×10−19Jです。
○地表のΛ＋c粒子はどのようであるか。
Λ＋c粒子のエネルギーは2286.46MeV＝2286.46×106×1.602×10−19J＝3.663×10−10J、です。
Λ＋c粒子の公転軌道＝8.665×10−24Jm÷(3.663×10−10J)＝2.366×10−14m
この中に、地表のクオークである電磁気の束が存在する。
この事を表に示す。
高エネルギー加速器の中で1.18GeVのcクオークはどのようであるか。地表では1.18GeVのcクオークはどのようになるか。
表７
2017158221.tif 000009
この事を表に示す。
高エネルギー加速器の中で1.34GeVのcクオークはどのようであるか。地表では1.34GeVのcクオークはどのようになるか。
表８
2017158221.tif 000010
５．    bクオークについて。高エネルギー加速器の中で4.13GeVのbクオークはどのようであるか。地表では4.13GeVのbクオークはどのようになるか。高エネルギー加速器の中で4.37GeVのbクオークはどのようであるか。地表では4.37GeVのbクオークはどのようになるか。
bクオークの質量は4.13〜4.37GeVです。
・4.13GeVのbクオークについて。
○高エネルギー加速器の中で4.13GeVのbクオークはどのようであるか。
B+粒子の中の4.13GeVのbクオークの電磁気数は6.249×108個です。
4.13GeV＝4.13×109×1.602×10−19J＝6.616×10−10J
高エネルギー加速器の中で、電磁気1個のエネルギー＝6.616×10−10J÷(6.249×108個)＝1.059×10−18J、です。
B+粒子の中で、この電磁気の軌道は、6.724×10−45Jm÷(1.059×10−18J)＝6.349×10−27m、です。
即ち、高エネルギー加速器のB+粒子の中で、4.13GeVのbクオークの電磁気1個のエネルギーは1.059×10−18Jで、電磁気の軌道は6.349×10−27m です。この電磁気が6.249×108個1束に成り回転し、この全体のエネルギーは6.616×10−10Jです。
・4.37GeVのbクオークについて。
○高エネルギー加速器の中で4.37GeVのbクオークはどのようであるか。
B+粒子の中の4.37GeVのbクオークの電磁気数は6.249×108個です。
4.37GeV＝4.37×109×1.602×10−19J＝7.001×10−10J
高エネルギー加速器の中で、電磁気1個のエネルギー＝7.001×10−10J÷(6.249×108個)＝1.120×10−18J、です。
B+粒子の中で、この電磁気の軌道は、6.724×10−45Jm÷(1.120×10−18J)＝6.004×10−27m、です。
即ち、高エネルギー加速器の電子の中で、4.37GeVのbクオークの電磁気1個のエネルギーは1.120×10−18J で、電磁気の軌道は6.004×10−27mです。この電磁気が6.249×108個1束に成り回転し、この全体のエネルギーは7.001×10−10Jです。
○高エネルギー加速器の中でB＋粒子はどのようであるか。
高エネルギー加速器の中で、B＋粒子のエネルギーは地表の3×108倍ですから、B＋粒子のエネルギー＝地表のB＋粒子のエネルギー×3×108＝5279.2×106×1.602×10−19J×3×108＝8.457×10−10J×3×108＝2.537×10−1J、です。
高エネルギー加速器の中のB＋粒子の公転軌道＝8.665×10−24Jm÷(2.537×10−1J)＝3.415×10−23m
この中に、クオークである電磁気の束が存在する。
○地表では4.13GeVのbクオークはどのようになるか。
地表では、エネルギーは3×108分の1になり、軌道は3×108倍に成ります。
4.13GeVのbクオークのエネルギーは、4.13GeV÷(3×108)＝6.616×10−10J÷(3×108)＝2.205×10−18J、です。
地表で、電磁気1個のエネルギー＝2.205×10−18J÷(6.249×108個)＝3.529×10−27J、です。
B+粒子の中で、この電磁気の軌道は、6.724×10−45Jm÷(3.529×10−27J)＝1.905×10−18m、です。
即ち、地表で、4.13GeVのbクオークの電磁気1個のエネルギーは3.529×10−27Jで、電磁気の軌道は 1.905×10−18m です。この電磁気が6.249×108個1束に成り回転し、この全体のエネルギーは2.205×10−18Jです。
○地表では4.37GeVのbクオークはどのようになるか。
地表では、エネルギーは3×108分の1になり、軌道は3×108倍に成ります。
4.37GeVのbクオークのエネルギーは、4.37GeV÷(3×108)＝7.001×10−10J÷(3×108)＝2.334×10−18J、です。
地表で、電磁気1個のエネルギー＝2.334×10−18J÷(6.249×108個)＝3.735×10−27J、です。
電子の中で、この電磁気の軌道は、6.724×10−45Jm÷(3.735×10−27J)＝1.800×10−18m、です。
即ち、地表で、4.37GeVのbクオークの電磁気1個のエネルギーは3.735×10−27Jで、電磁気の軌道は 1.800×10−18mです。この電磁気が6.249×108個1束に成り回転し、この全体のエネルギーは2.334×10−18Jです。
○地表のB+粒子はどのようであるか。
B+粒子のエネルギーは5279.2MeV＝5279.2×106×1.602×10−19J＝8.457×10−10J、です。
B+粒子の公転軌道＝8.665×10−24Jm÷(8.457×10−10J)＝1.025×10−14m
この中に、地表のクオークである電磁気の束が存在する。
まとめて表に示す。
高エネルギー加速器の中で4.13GeVのbクオークはどのようであるか。地表では4.13GeVのbクオークはどのようになるか。
表９
2017158221.tif 000011
まとめて表に示す。
高エネルギー加速器の中で4.37GeVのbクオークはどのようであるか。地表では4.37GeVのbクオークはどのようになるか。
表１０
2017158221.tif 000012
６．    ｔクオークについて。高エネルギー加速器の中で172.9GeVのtクオークはどのようであるか。地表では172.9GeVのtクオークはどのようになるか。
ｔクオークの質量は172.9GeVです。
・172.9GeVのｔクオークについて。
○高エネルギー加速器の中で172.9GeVのtクオークはどのようであるか。
粒子の中の172.9GeVのtクオークの電磁気数は6.249×108個です。
172.9GeV＝172.9×109×1.602×10−19J＝2.770×10−8J
高エネルギー加速器の中で、電磁気1個のエネルギー＝2.770×10−8J÷(6.249×108個)＝4.433×10−17J、です。
粒子の中で、この電磁気の軌道は、6.724×10−45Jm÷(4.433×10−17J)＝1.517×10−28m、です。
即ち、高エネルギー加速器の中で、172.9GeVのtクオークの電磁気1個のエネルギーは4.433×10−17Jで、電磁気の軌道は1.517×10−28mです。この電磁気が6.249×108個1束に成り回転し、この全体のエネルギーは2.770×10−8Jです。
○地表では172.9GeVのtクオークはどのようになるか。
地表では、エネルギーは3×108分の1になり、軌道は3×108倍に成ります。
172.9GeVのクオークのエネルギーは、172.9GeV÷(3×108)＝2.770×10−8J÷(3×108)＝9.233×10−17J、です。
地表で、電磁気1個のエネルギー＝9.233×10−17J÷(6.249×108個)＝1.478×10−25J、です。
粒子の中で、この電磁気の軌道は、6.724×10−45Jm÷(1.478×10−25J)＝4.549×10−20m、です。
即ち、地表で、172.9GeVのtクオークの電磁気1個のエネルギーは1.478×10−25Jで、電磁気の軌道は4.549×10−20mです。この電磁気が6.249×108個1束に成り回転し、この全体のエネルギーは9.233×10−17Jです。
この事を表に示す。
高エネルギー加速器の中で172.9GeVのtクオークはどのようであるか。地表では172.9GeVのtクオークはどのようになるか。
表１１
2017158221.tif 000013
７．    uクオークの粒子としての性質と電磁気としての性質について。1.7MeVのuクオークは粒子でもあり電磁気でもある。3.1MeVのuクオークは粒子でもあり電磁気でもある。
この場は、高エネルギー加速器の場で、地表の3×108倍のエネルギーの場です。 
1.7MeVのuクオークの粒子としての性質と電磁気としての性質について。
○電磁気を粒子として計算する。
1.7MeVのuクオークのエネルギーは、1.7MeV＝1.7×106×1.602×10−19J＝2.723×10−13J、です。 
粒子の軌道＝8.665×10-24Jm÷(2.723×10−13J )＝3.182×10-11m 
粒子の質量＝9.628×10-41Jm÷軌道＝9.628×10-41Jm÷(3.182×10-11m)＝3.026×10-30Kg 
粒子の質量＝1.111×10-17×粒子のエネルギー＝1.111×10-17×2.723×10−13J ＝3.025×10-30Kg
1.7MeVのuクオークの1個の粒子のエネルギー＝2.723×10−13J ÷(6.249×108個)＝4.357×10−22J 
1.7MeVのuクオークの1個の粒子の軌道は＝1.233×10−41Jm÷(4.357×10−22J)＝2.830×10−20m
１個の粒子の質量＝粒子の質量÷粒子の個数＝3.026×10-30Kg÷(6.249×108個)＝4.842×10-39Kg
粒子の質量と粒子のエネルギーの関係
1個の粒子のエネルギー÷1個の粒子の質量＝4.357×10−22J÷(4.842×10-39Kg)＝8.998×1016
○電磁気は粒子でもある。それで、1.7MeVのuクオークの粒子としての性質は、粒子1個のエネルギーは4.357×10−22Jで、粒子は2.830×10−20m の軌道を回転します。粒子1個の質量は4.842×10-39Kgです。6.250×108個の粒子は1束に成り2.830×10−20mの軌道を回転していて、全体のエネルギーは2.723×10−13Jで、質量は3.025×10-30Kgです。
○電磁気として計算する。
1.7MeVのuクオークのエネルギーは、1.7MeV＝1.7×106×1.602×10−19J＝2.723×10−13J、です。
電磁気の軌道＝1.233×10−41Jm÷(2.723×10−13J)＝4.528×10-29m
電磁気の質量＝1.370×10-58Jm÷軌道＝1.370×10-58Jm÷(4.528×10-29m )＝3.026×10-30Kg
電磁気の質量＝1.111×10-17×電磁気のエネルギー＝1.111×10-17×2.723×10−13J ＝3.025×10-30Kg
1.7MeVのuクオークの電磁気1個のエネルギー＝2.723×10−13J ÷(6.249×108個)＝4.357×10−22J
1.7MeVのuクオークの電磁気1個の軌道は＝1.233×10−41Jm÷(4.357×10−22J)＝2.830×10−20m
電磁気1個の質量＝電磁気の質量÷電磁気の個数＝3.026×10-30Kg÷(6.249×108個)＝4.842×10−39Kg
電磁気の質量と電磁気のエネルギーの関係
電磁気1個のエネルギー÷電磁気1個の質量＝4.357×10−22J÷(4.842×10-39Kg)＝8.998×1016
○1.7MeVのuクオークの電磁気としての性質は、電磁気1個のエネルギーは4.357×10−22Jで、2.830×10−20mの軌道を回転します。電磁気1個の質量は4.842×10−39Kgです。6.249×108個の電磁気は1束に成り2.830×10−20mの軌道を回転します。全体のエネルギーは2.723×10−13Jで、質量は3.026×10-30Kgです。
3.1MeVのuクオークの粒子としての性質と電磁気としての性質について。
○電磁気を粒子として計算する。
3.1MeVのuクオークのエネルギーは、3.1MeV＝3.1×106×1.602×10−19J＝4.966×10−13J、です。 
粒子の軌道＝8.665×10-24Jm÷(4.966×10−13J )＝1.745×10-11m 
粒子の質量＝9.628×10-41Jm÷軌道＝9.628×10-41Jm÷(1.745×10-11m)＝5.517×10-30Kg 
粒子の質量＝1.111×10-17×粒子のエネルギー＝1.111×10-17×4.966×10−13J ＝5.517×10-30Kg
3.1MeVのuクオークの1個の粒子のエネルギー＝4.966×10−13J ÷(6.249×108個)＝7.947×10−22J 
3.1MeVのuクオークの1個の粒子の軌道＝1.233×10−41Jm÷(7.947×10−22J)＝1.552×10−20m
１個の粒子の質量＝粒子の質量÷粒子の個数＝5.517×10-30Kg÷(6.249×108個)＝8.829×10-39Kg
粒子の質量と粒子のエネルギーの関係
1個の粒子のエネルギー÷1個の粒子の質量＝7.947×10−22J÷(8.829×10-39Kg)＝9.001×1016
○電磁気は粒子でもある。それで、3.1MeVのuクオークの粒子としての性質は、粒子1個のエネルギーは7.947×10−22Jで、粒子は1.552×10−20mの軌道を回転します。粒子1個の質量は8.829×10-39Kgです。6.250×108個の粒子は1束に成り1.552×10−20mの軌道を回転していて、全体のエネルギーは4.966×10−13Jで、質量は5.517×10-30Kgです。
○電磁気として計算する。
3.1MeVのuクオークの場合。
3.1MeVのuクオークのエネルギーは、3.1MeV＝3.1×106×1.602×10−19J＝4.966×10−13J、です。
この電磁気の軌道は、1.233×10−41Jm÷(4.966×10−13J)＝2.483×10-29m、です。
電磁気の質量＝1.370×10-58Jm÷軌道＝1.370×10-58Jm÷(2.483×10-29m )＝5.518×10-30Kg
電磁気の質量＝1.111×10-17×電磁気のエネルギー＝1.111×10-17×4.966×10−13J ＝5.517×10-30Kg
3.1MeVのuクオークの電磁気1個のエネルギー＝4.966×10−13J ÷(6.249×108個)＝7.947×10−22J
3.1MeVのuクオークの電磁気1個の軌道＝1.233×10−41Jm÷(7.947×10−22J)＝1.551×10−20m
電磁気1個の質量＝電磁気の質量÷電磁気の個数＝5.518×10-30Kg÷(6.249×108個)＝8.830×10-39Kg
・電磁気の質量と電磁気のエネルギーの関係
電磁気1個のエネルギー÷電磁気1個の質量＝7.947×10−22J÷(8.830×10-39Kg)＝9.000×1016
○3.1MeVのuクオークの電磁気としての性質は、電磁気1個のエネルギーは7.947×10−22Jで、1.551×10−20mの軌道を回転します。電磁気1個の質量は8.830×10-39Kgです。6.249×108個の電磁気は1束に成り1.551×10−20mの軌道を回転します。全体のエネルギーは4.966×10−13Jで、質量は5.518×10-30Kgです。
まとめて表に示す。
1.7MeVのuクオークは粒子でもあり電磁気でもある。3.1MeVのuクオークは粒子でもあり電磁気でもある
表１２
2017158221.tif 000014
８．    dクオークの粒子としての性質と電磁気としての性質について。4.1MeVのdクオークは粒子でもあり電磁気でもある。5.7MeVのdクオークは粒子でもあり電磁気でもある。
4.1MeVのdクオークの粒子としての性質と電磁気としての性質について。
○電磁気を粒子として計算する。
4.1MeVのdクオークのエネルギーは、4.1MeV＝4.1×106×1.602×10−19J＝6.568×10−13J、です。 
粒子の軌道＝8.665×10-24Jm÷(6.568×10−13J )＝1.319×10-11m 
粒子の質量＝9.628×10-41Jm÷軌道＝9.628×10-41Jm÷(1.319×10-11m)＝7.299×10-30Kg 
粒子の質量＝1.111×10-17×粒子のエネルギー＝1.111×10-17×6.568×10−13J ＝7.297×10-30Kg
4.1MeVのdクオークの1個の粒子のエネルギー＝6.568×10−13J ÷(6.249×108個)＝1.051×10−21J 
4.1MeVのdクオークの1個の粒子の軌道＝1.233×10−41Jm÷(1.051×10−21J)＝1.173×10−20m
１個の粒子の質量＝粒子の質量÷粒子の個数＝7.299×10-30Kg÷(6.249×108個)＝1.168×10-38Kg
粒子の質量と粒子のエネルギーの関係
1個の粒子のエネルギー÷1個の粒子の質量＝1.051×10−21J÷(1.168×10-38Kg)＝8.998×1016
○電磁気は粒子でもある。それで、4.1MeVのdクオークの粒子としての性質は、粒子1個のエネルギーは1.051×10−21J で、粒子は1.173×10−20mの軌道を回転します。粒子1個の質量は1.168×10-38Kgです。6.250×108個の粒子は1束に成り1.173×10−20mの軌道を回転していて、全体のエネルギーは6.568×10−13Jで、質量は7.299×10-30Kgです。
○電磁気として計算する。
4.1MeVのdクオークのエネルギーは、4.1MeV＝4.1×106×1.602×10−19J＝6.568×10−13J、です。
この電磁気の軌道は、1.233×10−41Jm÷(6.568×10−13J)＝1.877×10-29m、です。
電磁気の質量＝1.370×10-58Jm÷軌道＝1.370×10-58Jm÷(1.877×10-29m )＝7.299×10-30Kg
電磁気の質量＝1.111×10-17×電磁気のエネルギー＝1.111×10-17×6.568×10−13J ＝7.297×10-30Kg
4.1MeVのｄクオークの電磁気1個のエネルギー＝6.568×10−13J ÷(6.249×108個)＝1.051×10−21J
4.1MeVのｄクオークの電磁気1個の軌道＝1.233×10−41Jm÷(1.051×10−21J)＝1.173×10−20m
電磁気1個の質量＝電磁気の質量÷電磁気の個数＝7.299×10-30Kg÷(6.249×108個)＝1.168×10-38Kg
・電磁気の質量と電磁気のエネルギーの関係
電磁気1個のエネルギー÷電磁気1個の質量＝1.051×10−21J÷(1.168×10-38Kg)＝8.998×1016
○4.1MeVのdクオークの電磁気としての性質は、電磁気1個のエネルギーは1.051×10−21Jで、1.173×10−20mの軌道を回転します。電磁気1個の質量は1.168×10-38Kgです。6.249×108個の電磁気は1束に成り1.173×10−20mの軌道を回転します。全体のエネルギーは6.568×10−13J で、質量は7.299×10-30Kgです。
5.7MeVのdクオークの粒子としての性質と電磁気としての性質について。
○電磁気を粒子として計算する。
5.7MeVのdクオークのエネルギーは、5.7MeV＝5.7×106×1.602×10−19J＝9.131×10−13J、です。 
粒子の軌道＝8.665×10-24Jm÷(9.131×10−13J )＝9.490×10-12m 
粒子の質量＝9.628×10-41Jm÷軌道＝9.628×10-41Jm÷(9.490×10-12m)＝1.015×10-29Kg 
粒子の質量＝1.111×10-17×粒子のエネルギー＝1.111×10-17×9.131×10−13J ＝1.014×10-29Kg
5.7MeVのdクオークの1個の粒子のエネルギー＝9.131×10−13J÷(6.249×108個)＝1.461×10−21J
5.7MeVのdクオークの1個の粒子の軌道＝1.233×10−41Jm÷(1.461×10−21J)＝8.439×10−20m
１個の粒子の質量＝粒子の質量÷粒子の個数＝1.015×10-29Kg÷(6.249×108個)＝1.624×10-38Kg
粒子の質量と粒子のエネルギーの関係
1個の粒子のエネルギー÷1個の粒子の質量＝1.461×10−21J÷(1.624×10-38Kg)＝8.996×1016
○電磁気は粒子でもある。それで、5.7MeVのdクオークの粒子としての性質は、粒子1個のエネルギーは1.461×10−21Jで、粒子は8.439×10−20mの軌道を回転します。粒子1個の質量は1.624×10-38Kgです。6.250×108個の粒子は1束に成り8.439×10−20mの軌道を回転していて、全体のエネルギーは9.131×10−13Jで、質量は1.015×10-29Kgです。
○電磁気として計算する。
5.7MeVのdクオークのエネルギーは、5.7MeV＝5.7×106×1.602×10−19J＝9.131×10−13J、です。
電磁気の軌道＝1.233×10−41Jm÷(9.131×10−13J)＝1.350×10-29m
電磁気の質量＝1.370×10-58Jm÷軌道＝1.370×10-58Jm÷(1.350×10-29m )＝1.015×10-29Kg
電磁気の質量＝1.111×10-17×電磁気のエネルギー＝1.111×10-17×9.131×10−13J ＝1.014×10-29Kg
5.7MeVのｄクオークの電磁気1個のエネルギー＝9.131×10−13J÷(6.249×108個)＝1.461×10−21J
5.7MeVのdクオークの電磁気1個の軌道＝1.233×10−41Jm÷(1.461×10−21J)＝8.439×10−21m
電磁気1個の質量＝電磁気の質量÷電磁気の個数＝1.015×10-29Kg÷(6.249×108個)＝1.624×10-38Kg
・電磁気の質量と電磁気のエネルギーの関係
電磁気1個のエネルギー÷電磁気1個の質量＝1.461×10−21J÷(1.624×10-38Kg)＝8.996×1016
○5.7MeVのdクオークの電磁気としての性質は、電磁気1個のエネルギーは1.461×10−21Jで、8.439×10−21mの軌道を回転します。電磁気1個の質量は1.624×10-38Kgです。6.249×108個の電磁気は1束に成り8.439×10−21mの軌道を回転します。全体のエネルギーは9.131×10−13Jで、質量は1.015×10-29Kgです。
まとめて表に示す。
4.1MeVのdクオークは粒子でもあり電磁気でもある。5.7MeVのdクオークは粒子でもあり電磁気でもある。
表１３
2017158221.tif 000015
９．    sクオークの粒子としての性質と電磁気としての性質について。80MeVのsクオークは粒子でもあり電磁気でもある。130MeVのsクオークは粒子でもあり電磁気でもある。
80MeVのsクオークの粒子としての性質と電磁気としての性質について。
○電磁気を粒子として計算する。
80MeVのsクオークのエネルギーは、80MeV＝80×106×1.602×10−19J＝1.282×10−11J、です。 
粒子の軌道＝8.665×10-24Jm÷(1.282×10−11J )＝6.759×10-13m 
粒子の質量＝9.628×10-41Jm÷軌道＝9.628×10-41Jm÷(6.759×10-13m)＝1.424×10-28Kg 
粒子の質量＝1.111×10-17×粒子のエネルギー＝1.111×10-17×1.282×10−11J＝1.424×10-28Kg
80MeVのsクオークの1個の粒子のエネルギー=1.282×10−11J÷(6.249×108個)＝2.052×10−20J 
80MeVのsクオークの1個の粒子の軌道＝1.233×10−41Jm÷(2.052×10−20J)＝6.009×10−22m
１個の粒子の質量＝粒子の質量÷粒子の個数＝1.424×10-28Kg÷(6.249×108個)＝2.279×10-37Kg
粒子の質量と粒子のエネルギーの関係
1個の粒子のエネルギー÷1個の粒子の質量＝2.052×10−20J÷(2.279×10-37Kg)＝9.004×1016
○電磁気は粒子でもある。それで、80MeVのsクオークの粒子としての性質は、粒子1個のエネルギーは2.052×10−20Jで、粒子は6.009×10−22mの軌道を回転します。粒子1個の質量は2.279×10-37Kgです。6.250×108個の粒子は1束に成り6.009×10−22mの軌道を回転していて、全体のエネルギーは 1.282×10−11Jで、質量は1.424×10-28Kg です。
○電磁気として計算する。
80MeVのsクオークのエネルギーは、80MeV＝80×106×1.602×10−19J＝1.282×10−11J、です。
この電磁気の軌道は、1.233×10−41Jm÷(1.282×10−11J )＝9.618×10-31m、です。
電磁気の質量＝1.370×10-58Jm÷軌道＝1.370×10-58Jm÷(9.618×10-31m )＝1.424×10-28Kg
電磁気の質量＝1.111×10-17×電磁気のエネルギー＝1.111×10-17×1.282×10−11J＝1.424×10-28Kg
80MeVのsクオークの電磁気1個のエネルギー＝1.282×10−11J÷(6.249×108個)＝ 2.052×10−20J
80MeVのsクオークの電磁気1個の軌道＝1.233×10−41Jm÷(2.052×10−20J)＝6.009×10−22m
電磁気1個の質量＝電磁気の質量÷電磁気の個数＝1.424×10-28Kg÷(6.249×108個)＝2.279×10-37Kg
電磁気の質量と電磁気のエネルギーの関係
電磁気1個のエネルギー÷電磁気1個の質量＝2.052×10−20J÷(2.279×10-37Kg)＝9.004×1016
○80MeVのsクオークの電磁気としての性質は、電磁気1個のエネルギーは2.052×10−20Jで、6.009×10−22mの軌道を回転します。電磁気1個の質量は2.279×10-37Kgです。6.249×108個の電磁気は1束に成り6.009×10−22mの軌道を回転します。全体のエネルギーは1.282×10−11Jで、質量は1.424×10-28Kgです。
130MeVのsクオークの粒子としての性質と電磁気としての性質について。
○電磁気を粒子として計算する。
130MeVのsクオークのエネルギーは、130MeV＝130×106×1.602×10−19J＝2.083×10−11J、です。 
粒子の軌道＝8.665×10-24Jm÷(2.083×10−11J )＝4.160×10-13m 
粒子の質量＝9.628×10-41Jm÷軌道＝9.628×10-41Jm÷(4.160×10-13m)＝2.314×10-28Kg 
粒子の質量＝1.111×10-17×粒子のエネルギー＝1.111×10-17×2.083×10−11J＝2.314×10-28Kg
130MeVのsクオークの1個の粒子のエネルギー＝2.083×10−11J ÷(6.249×108個)＝3.333×10−20J 
130MeVのsクオークの1個の粒子の軌道＝1.233×10−41Jm÷(3.333×10−20J)＝3.699×10−21m
１個の粒子の質量＝粒子の質量÷粒子の個数＝2.314×10-28Kg÷(6.249×108個)＝3.703×10-37Kg
粒子の質量と粒子のエネルギーの関係
1個の粒子のエネルギー÷1個の粒子の質量＝3.333×10−20J÷(3.703×10-37Kg)＝9.001×1016
○電磁気は粒子でもある。それで、130MeVのsクオークの粒子としての性質は、粒子1個のエネルギーは3.333×10−20J で、粒子は3.699×10−21mの軌道を回転します。粒子1個の質量は3.703×10-37Kgです。6.250×108個の粒子は1束に成り3.699×10−21mの軌道を回転していて、全体のエネルギーは 2.083×10−11Jで、質量は2.314×10-28Kg です。
○電磁気として計算する。
130MeVのsクオークのエネルギーは、130MeV＝130×106×1.602×10−19J＝2.083×10−11J、です。 
電磁気の軌道＝1.233×10−41Jm÷(2.083×10−11J )＝5.919×10-31m
電磁気の質量＝1.370×10-58Jm÷軌道＝1.370×10-58Jm÷(5.919×10-31m )＝2.315×10-28Kg
電磁気の質量＝1.111×10-17×電磁気のエネルギー＝1.111×10-17×2.083×10−11J＝2.314×10-28Kg
130MeVのsクオークの電磁気1個のエネルギー＝2.083×10−11J ÷(6.249×108個)＝3.333×10−20J
130MeVのsクオークの電磁気1個の軌道＝1.233×10−41Jm÷(3.333×10−20J)＝3.699×10−22m
電磁気1個の質量＝電磁気の質量÷電磁気の個数＝2.314×10-28Kg÷(6.249×108個)＝3.703×10-37Kg
・電磁気の質量と電磁気のエネルギーの関係
電磁気1個のエネルギー÷電磁気1個の質量＝3.333×10−20J÷(3.703×10-37Kg)＝9.001×1016
○130MeVのsクオークの電磁気としての性質は、電磁気1個のエネルギーは3.333×10−20Jで、3.699×10−22mの軌道を回転します。電磁気1個の質量は3.703×10-37Kgです。6.249×108個の電磁気は1束に成り3.699×10−22mの軌道を回転します。全体のエネルギーは2.083×10−11Jで、質量は2.315×10-28Kgです。
まとめて表に示す。
80MeVのsクオークは粒子でもあり電磁気でもある。130MeVのsクオークは粒子でもあり電磁気でもある。
表１４
2017158221.tif 000016
１０．    cクオークの粒子としての性質と電磁気としての性質について。1.18GeVのcクオークは粒子でもあり電磁気でもある。1.34GeVのcクオークは粒子でもあり電磁気でもある。
1.18GeVのcクオークの粒子としての性質と電磁気としての性質について。
○電磁気を粒子として計算する。
1.18GeVのcクオークのエネルギーは、1.18GeV＝1.18×109×1.602×10−19J＝1.890×10−10J、です。 
粒子の軌道＝8.665×10-24Jm÷(1.890×10−10J )＝4.585×10-14m 
粒子の質量＝9.628×10-41Jm÷軌道＝9.628×10-41Jm÷(4.585×10-14m)＝2.100×10-27Kg 
粒子の質量＝1.111×10-17×粒子のエネルギー＝1.111×10-17×1.890×10−10J＝2.100×10-27Kg
1.18GeVのcクオークの1個の粒子のエネルギー＝1.890×10−10J ÷(6.249×108個)＝3.024×10−19J
1.18GeVのcクオークの1個の粒子の軌道＝1.233×10−41Jm÷(3.024×10−19J)＝4.077×10−23m
１個の粒子の質量＝粒子の質量÷粒子の個数＝2.100×10-27Kg÷(6.249×108個)＝3.361×10-36Kg
粒子の質量と粒子のエネルギーの関係
1個の粒子のエネルギー÷1個の粒子の質量＝3.024×10−19J÷(3.361×10-36Kg)＝8.997×1016
○電磁気は粒子でもある。それで、1.18GeVのcクオークの粒子としての性質は、粒子1個のエネルギーは3.024×10−19J で、粒子は4.077×10−23mの軌道を回転します。粒子1個の質量は3.360×10-36Kgです。6.250×108個の粒子は1束に成り4.077×10−23mの軌道を回転していて、全体のエネルギーは 1.890×10−10Jで、質量は 2.100×10-27Kgです。
○電磁気として計算する。
1.18GeVのcクオークのエネルギーは、1.18GeV＝1.18×109×1.602×10−19J＝1.890×10−10J、です。
電磁気の軌道＝1.233×10−41Jm÷(1.890×10−10J )＝6.524×10-32m
電磁気の質量＝1.370×10-58Jm÷軌道＝1.370×10-58Jm÷(6.524×10-32m )＝2.100×10-27Kg
電磁気の質量＝1.111×10-17×電磁気のエネルギー＝1.111×10-17×1.890×10−10J＝2.100×10-27Kg
1.18GeVのcクオークの電磁気1個のエネルギー＝1.890×10−10J÷(6.249×108個)＝ 3.024×10−19J
1.18GeVのcクオークの電磁気1個の軌道＝1.233×10−41Jm÷(3.024×10−19J)＝4.077×10−23m
電磁気1個の質量＝電磁気の質量÷電磁気の個数＝2.100×10-27Kg÷(6.249×108個)＝3.361×10-36Kg
電磁気の質量と電磁気のエネルギーの関係
電磁気1個のエネルギー÷電磁気1個の質量＝3.024×10−19J÷(3.361×10-36Kg)＝8.997×1016
○1.18GeVのcクオークの電磁気としての性質は、電磁気1個のエネルギーは3.024×10−19Jで、4.077×10−23mの軌道を回転します。電磁気1個の質量は3.361×10-36Kgです。6.249×108個の電磁気は1束に成り4.077×10−23mの軌道を回転します。全体のエネルギーは1.890×10−10Jで、質量は2.100×10-27Kgです。
1.34GeVのcクオークの粒子としての性質と電磁気としての性質について。
○電磁気を粒子として計算する。
1.34GeVのcクオークのエネルギーは、1.34GeV＝1.34×109×1.602×10−19J＝2.147×10−10J、です。 
粒子の軌道＝8.665×10-24Jm÷(2.147×10−10J )＝4.036×10-14m 
粒子の質量＝9.628×10-41Jm÷軌道＝9.628×10-41Jm÷(4.036×10-14m)＝2.386×10-27Kg 
粒子の質量＝1.111×10-17×粒子のエネルギー＝1.111×10-17×2.147×10−10J＝2.385×10-27Kg
1.34GeVのcクオークの1個の粒子のエネルギー＝2.147×10−10J ÷(6.249×108個)＝3.436×10−19J
1.34GeVのcクオークの1個の粒子の軌道＝1.233×10−41Jm÷(3.436×10−19J)＝3.588×10−23m
１個の粒子の質量＝粒子の質量÷粒子の個数＝2.386×10-27Kg÷(6.249×108個)＝3.818×10-36Kg
粒子の質量と粒子のエネルギーの関係
1個の粒子のエネルギー÷1個の粒子の質量＝3.436×10−19J÷(3.818×10-36Kg)＝8.999×1016
○電磁気は粒子でもある。それで、1.34GeVのcクオークの粒子としての性質は、粒子1個のエネルギーは3.436×10−19J で、粒子は3.588×10−23mの軌道を回転します。粒子1個の質量は3.818×10-36Kgです。6.250×108個の粒子は1束に成り3.588×10−23mの軌道を回転していて、全体のエネルギーは 2.147×10−10Jで、質量は 2.386×10-27Kgです。
○電磁気として計算する。
1.34GeVのcクオークのエネルギーは、1.34GeV＝1.34×109×1.602×10−19J＝2.147×10−10J、です。
電磁気の軌道＝1.233×10−41Jm÷(2.147×10−10J )＝5.743×10-32m
電磁気の質量＝1.370×10-58Jm÷軌道＝1.370×10-58Jm÷(5.743×10-32m )＝2.386×10-27Kg
電磁気の質量＝1.111×10-17×電磁気のエネルギー＝1.111×10-17×2.147×10−10J＝2.385×10-27Kg
1.34GeVのcクオークの電磁気1個のエネルギー＝2.147×10−10J ÷(6.249×108個)＝3.436×10−19J
1.34GeVのcクオークの電磁気1個の軌道＝1.233×10−41Jm÷(3.436×10−19J)＝3.588×10−23m
電磁気1個の質量＝電磁気の質量÷電磁気の個数＝2.386×10-27Kg÷(6.249×108個)＝3.818×10-36Kg
電磁気の質量と電磁気のエネルギーの関係
電磁気1個のエネルギー÷電磁気1個の質量＝3.436×10−19J÷(3.818×10-36Kg)＝8.999×1016
○1.34GeVのcクオークの電磁気としての性質は、電磁気1個のエネルギーは3.436×10−19Jで、3.588×10−23mの軌道を回転します。電磁気1個の質量は3.818×10-36Kg です。6.249×108個の電磁気は1束に成り3.588×10−23mの軌道を回転します。全体のエネルギーは2.147×10−10Jで、質量は2.386×10-27Kgです。
まとめて表に示す。
1.18GeVのcクオークは粒子でもあり電磁気でもある。1.34GeVのcクオークは粒子でもあり電磁気でもある。
表１５
2017158221.tif 000017
１１．    bクオークの粒子としての性質と電磁気としての性質について。4.13GeVのbクオークは粒子でもあり電磁気でもある。4.37GeVのbクオークは粒子でもあり電磁気でもある。
4.13GeVのbクオークの粒子としての性質と電磁気としての性質について。
○電磁気を粒子として計算する。
4.13GeVのbクオークのエネルギーは、4.13GeV＝4.13×109×1.602×10−19J＝6.616×10−10J、です。 
粒子の軌道＝8.665×10-24Jm÷(6.616×10−10J )＝1.309×10-14m 
粒子の質量＝9.628×10-41Jm÷軌道＝9.628×10-41Jm÷(1.309×10-14m)＝7.355×10-27Kg 
粒子の質量＝1.111×10-17×粒子のエネルギー＝1.111×10-17×6.616×10−10J＝7.350×10-27Kg
4.13GeVのbクオークの1個の粒子のエネルギー＝6.616×10−10J ÷(6.249×108個)＝1.059×10−18J
4.13GeVのbクオークの1個の粒子の軌道＝1.233×10−41Jm÷(1.059×10−18J)＝1.164×10−23m
１個の粒子の質量＝粒子の質量÷粒子の個数＝7.355×10-27Kg÷(6.249×108個)＝1.177×10-35Kg
・粒子の質量と粒子のエネルギーの関係
1個の粒子のエネルギー÷1個の粒子の質量＝1.059×10−18J÷(1.177×10-35Kg)＝8.997×1016
○電磁気は粒子でもある。それで、4.13GeVのbクオークの粒子としての性質は、粒子1個のエネルギーは1.059×10−18J で、粒子は1.164×10−23mの軌道を回転します。粒子1個の質量は1.177×10-35Kgです。6.249×108個の粒子は1束に成り1.164×10−23mの軌道を回転していて、全体のエネルギーは 6.616×10−10Jで、質量は 7.355×10-27Kg です。
○電磁気として計算する。
4.13GeVのbクオークのエネルギーは、4.13GeV＝4.13×109×1.602×10−19J＝6.616×10−10J、です。 
電磁気の軌道＝1.233×10−41Jm÷(6.616×10−10J )＝1.864×10-32m
電磁気の質量＝1.370×10-58Jm÷軌道＝1.370×10-58Jm÷(1.864×10-32m )＝7.350×10-27Kg
電磁気の質量＝1.111×10-17×電磁気のエネルギー＝1.111×10-17×6.616×10−10J＝7.350×10-27Kg
4.13GeVのbクオークの電磁気1個のエネルギー＝6.616×10−10J ÷(6.249×108個)＝1.059×10−18J
4.13GeVのbクオークの電磁気1個の軌道＝1.233×10−41Jm÷(1.059×10−18J)＝1.164×10−23m
電磁気1個の質量＝電磁気の質量÷電磁気の個数＝7.350×10-27Kg÷(6.249×108個)＝1.177×10-35Kg
・電磁気の質量と電磁気のエネルギーの関係
電磁気1個のエネルギー÷電磁気1個の質量＝1.059×10−18J÷(1.177×10-35Kg)＝8.997×1016
○4.13GeVのbクオークの電磁気としての性質は、電磁気1個のエネルギーは1.059×10−18Jで、1.164×10−23mの軌道を回転します。電磁気1個の質量は1.177×10-35Kg です。6.249×108個の電磁気は1束に成り1.164×10−23mの軌道を回転します。全体のエネルギーは6.616×10−10Jで、質量は7.350×10-27Kgです。
4.37GeVのbクオークの粒子としての性質と電磁気としての性質について。
○電磁気を粒子として計算する。
4.37GeVのbクオークのエネルギーは、4.37GeV＝4.37×109×1.602×10−19J＝7.001×10−10J、です。 
粒子の軌道＝8.665×10-24Jm÷(7.001×10−10J )＝1.238×10-14m 
粒子の質量＝9.628×10-41Jm÷軌道＝9.628×10-41Jm÷(1.238×10-14m)＝7.777×10-27Kg 
粒子の質量＝1.111×10-17×粒子のエネルギー＝1.111×10-17×7.001×10−10J＝7.778×10-27Kg
4.37GeVのbクオークの1個の粒子のエネルギー＝7.001×10−10J÷(6.249×108個)＝ 1.120×10−18J
4.37GeVのbクオークの1個の粒子の軌道＝1.233×10−41Jm÷(1.120×10−18J)＝1.101×10−23m
１個の粒子の質量＝粒子の質量÷粒子の個数＝7.777×10-27Kg÷(6.251×108個)＝1.244×10-35Kg
粒子の質量と粒子のエネルギーの関係
1個の粒子のエネルギー÷1個の粒子の質量＝1.120×10−18J÷(1.244×10-35Kg)＝9.003×1016
○電磁気は粒子でもある。それで、4.37GeVのbクオークの粒子としての性質は、粒子1個のエネルギーは1.120×10−18J で、粒子は1.101×10−23mの軌道を回転します。粒子1個の質量は1.244×10-35Kgです。6.250×108個の粒子は1束に成り1.101×10−23mの軌道を回転していて、全体のエネルギーは 7.001×10−10Jで、質量は 7.777×10-27Kg です。
○電磁気として計算する。
4.37GeVのbクオークのエネルギーは、4.37GeV＝4.37×109×1.602×10−19J＝7.001×10−10J、です。
電磁気の軌道＝1.233×10−41Jm÷(7.001×10−10J )＝1.761×10-32m
電磁気の質量＝1.370×10-58Jm÷軌道＝1.370×10-58Jm÷(1.761×10-32m )＝7.780×10-27Kg
電磁気の質量＝1.111×10-17×電磁気のエネルギー＝1.111×10-17×7.001×10−10J＝7.778×10-27Kg
4.37GeVのbクオークの電磁気1個のエネルギー＝7.001×10−10J ÷(6.249×108個)＝1.120×10−18J
4.37GeVのbクオークの電磁気1個の軌道＝1.233×10−41Jm÷(1.120×10−18J)＝1.101×10−23m
電磁気1個の質量＝電磁気の質量÷電磁気の個数＝7.780×10-27Kg÷(6.249×108個)＝1.245×10-35Kg
電磁気の質量と電磁気のエネルギーの関係
電磁気1個のエネルギー÷電磁気1個の質量＝1.120×10−18J÷(1.245×10-35Kg)＝8.996×1016
○4.37GeVのbクオークの電磁気としての性質は、電磁気1個のエネルギーは1.120×10−18Jで、1.101×10−23mの軌道を回転します。電磁気1個の質量は 1.245×10-35Kgです。6.249×108個の電磁気は1束に成り1.101×10−23mの軌道を回転します。全体のエネルギーは7.001×10−10Jで、質量は7.780×10-27Kgです。
まとめて表に示す。
4.13GeVのbクオークは粒子でもあり電磁気でもある。4.37GeVのbクオークは粒子でもあり電磁気でもある。
表１６
2017158221.tif 000018
１２．    tクオークの粒子としての性質と電磁気としての性質について。172.9GeVのtクオークは粒子でもあり電磁気でもある。
172.9GeVのtクオークの粒子としての性質と電磁気としての性質について。
○電磁気を粒子として計算する。
172.9GeVのtクオークのエネルギーは、172.9GeV＝172.9×109×1.602×10−19J＝2.770×10−8J、です。 
粒子の軌道＝8.665×10-24Jm÷(2.770×10−8J )＝3.128×10-16m 
粒子の質量＝9.628×10-41Jm÷軌道＝9.628×10-41Jm÷(3.128×10-16m)＝3.078×10-25Kg 
粒子の質量＝1.111×10-17×粒子のエネルギー＝1.111×10-17×2.770×10−8J＝3.077×10-25Kg
172.9GeVのtクオークの1個の粒子のエネルギー＝2.770×10−8J÷(6.249×108個)＝4.433×10−17J
172.9GeVのtクオークの1個の粒子の軌道＝1.233×10−41Jm÷(4.433×10−17J)＝2.781×10−25m
１個の粒子の質量＝粒子の質量÷粒子の個数＝3.078×10-25Kg÷(6.249×108個)＝4.926×10-33Kg
粒子の質量と粒子のエネルギーの関係
1個の粒子のエネルギー÷1個の粒子の質量＝4.433×10−17J÷(4.926×10-33Kg)＝8.999×1016
○電磁気は粒子でもある。それで、172.9GeVのtクオークの粒子としての性質は、粒子1個のエネルギーは4.433×10−17J で、粒子は2.781×10−25mの軌道を回転します。粒子1個の質量は1.244×10-35Kgです。6.250×108個の粒子は1束に成り2.781×10−25mの軌道を回転していて、全体のエネルギーは 2.770×10−8Jで、質量は  3.078×10-25Kgです。
○電磁気として計算する。
172.9GeVのtクオークのエネルギーは、172.9GeV＝172.9×109×1.602×10−19J＝2.770×10−8J、です。 
この電磁気の軌道は、1.233×10−41Jm÷(2.770×10−8J )＝4.451×10-34m、です。
電磁気の質量＝1.370×10-58Jm÷軌道＝1.370×10-58Jm÷(4.451×10-34m )＝3.077×10-25Kg
電磁気の質量＝1.111×10-17×電磁気のエネルギー＝1.111×10-17×2.770×10−8J＝3.077×10-25Kg
172.9GeVのtクオークの電磁気1個のエネルギー＝2.770×10−8J÷(6.249×108個)＝ 4.433×10−17J
172.9GeVのtクオークの電磁気1個の粒子の軌道＝1.233×10−41Jm÷(4.433×10−17J)＝2.781×10−25m
電磁気1個の質量＝電磁気の質量÷電磁気の個数＝3.077×10-25Kg÷(6.249×108個)＝4.923×10-34Kg
電磁気の質量と電磁気のエネルギーの関係
電磁気1個のエネルギー÷電磁気1個の質量＝4.433×10−17J÷(4.923×10-34Kg)＝9.005×1016
○172.9GeVのtクオークの電磁気としての性質は、電磁気1個のエネルギーは4.433×10−17Jで、2.781×10−25mの軌道を回転します。電磁気1個の質量は 1.245×10-35Kgです。6.249×108個の電磁気は1束に成り2.781×10−25mの軌道を回転します。全体のエネルギーは2.770×10−8Jで、質量は3.077×10-25Kgです。
まとめて表に示す。
172.9GeVのtクオークは粒子でもあり電磁気でもある
表１７
2017158221.tif 000019
【産業上の利用可能性】
【０００９】
素粒子を知ることは原子や元素を知ることであり、産業の発展に役立つ。
【符号の説明】
【００１０】
１    高エネルギー加速器の中  
２    高エネルギー加速器の中のΣ＋粒子  
３    80MeVのsクオーク
４    電磁気数は6.249×108個  
５    80MeV＝1.282×10−11J  
６    高エネルギー加速器の中の電磁気1個のエネルギー＝2.052×10−20J
７    高エネルギー加速器の中の電磁気1個の電磁気の軌道＝3.277×10−25m  
８    高エネルギー加速器のΣ＋粒子の公転の中で、80MeVのsクオークの電磁気1個のエネルギーは2.052×10−20Jで、電磁気の軌道は3.277×10−25m です。この電磁気が6.249×108個1束に成り3.277×10−25mの軌道を回転している。この全体のエネルギーは1.282×10−11Jです。
９    高エネルギー加速器の中でΣ＋粒子のエネルギー＝Σ＋粒子のエネルギー×3×108＝1189.37×106×1.602×10−19J×3×108＝1.905×10−10J×3×108＝5.715×10−2J
１０    Σ＋粒子の公転軌道＝8.665×10−24Jm÷(5.715×10−2J)＝1.516×10−22m
１１    Σ＋粒子の公転軌道の中で、クオークの電磁気の束が回転している
１２    地表のΣ＋粒子
１３    地表の80MeVのsクオーク  
１４    地表の80MeVのsクオークのエネルギー＝80MeV÷(3×108)＝1.282×10−11J ÷(3×108)＝4.273×10−20J
１５    地表の80MeVのsクオークの電磁気1個のエネルギー＝4.273×10−20J÷(6.249×108個)＝7.569×10−29J
１６    地表の80MeVのsクオークの電磁気1個の軌道＝6.724×10−45Jm÷(7.569×10−29J)＝8.883×10−17m
１７    地表で、80MeVのsクオークの電磁気1個のエネルギーは7.569×10−29Jで、電磁気の軌道は  8.883×10−17mです。この電磁気が6.249×108個1束に成り8.883×10−17mの軌道を回転し、この全体のエネルギーは4.273×10−20J
１８    地表のΣ＋粒子のエネルギーは1189.37MeV＝1189.37×106×1.602×10−19J＝1.905×10−10J
１９    地表のΣ＋粒子の公転軌道＝8.665×10−24Jm÷(1.905×10−10J)＝4.549×10−14m
２０    地表のΣ＋粒子の公転軌道の中に地表の80MeVのsクオークは回転している
２１    この場は、高エネルギー加速器の場で、地表の3×108倍のエネルギーの場  
２２    80MeVのsクオーク  
２３    80MeVのsクオークのエネルギーは、80MeV＝80×106×1.602×10−19J＝1.282×10−11J    
２４    粒子の質量＝9.628×10-41Jm÷軌道＝9.628×10-41Jm÷(6.759×10-13m)＝1.424×10-28Kg    
２５    80MeVのsクオークの1個の粒子のエネルギー＝1.282×10−11J ÷(6.249×108)＝2.052×10−20J    
２６    80MeVのsクオークの1個の粒子の軌道＝1.233×10−41Jm÷(2.052×10−20J)＝6.009×10−22m
２７    １個の粒子の質量＝粒子の質量÷粒子の個数＝1.424×10-28Kg÷(6.248×108個)＝2.279×10-37Kg  
２８    1個の粒子のエネルギー÷1個の粒子の質量＝2.052×10−20J÷(2.279×10-37Kg)＝9.004×1016    
２９    粒子1個のエネルギーは2.052×10−20Jで、粒子は6.009×10−22mの軌道を回転します。粒子1個の質量は2.279×10-37Kg    
３０    6.250×108個の粒子は1束に成り6.009×10−22mの軌道を回転していて、全体のエネルギーは 1.282×10−11Jで、質量は1.424×10-28Kg
３１    80MeVのsクオーク
３２    80MeVのsクオークの電磁気1個のエネルギーは2.052×10−20Jで、6.009×10−22mの軌道を回転し、電磁気1個の質量は2.279×10-37Kg
３３    6.249×108個の電磁気は1束に成り6.009×10−22mの軌道を回転し、全体のエネルギーは1.282×10−11Jで、質量は1.424×10-28Kg
【図１】
2017158221.tif 000037
【図２】
2017158221.tif 000038